(57)【要約】【課題】以前のシステムに関連する不利点および問題を軽減または解消する。【解決手段】除湿システムは、圧縮器、一次蒸発器、一次凝縮器、二次蒸発器、および二次凝縮器を含む。二次蒸発器は、入口空気流を受け取り、第１の空気流を一次蒸発器に出力する。一次蒸発器は、第１の空気流を受け取り、第２の空気流を二次凝縮器に出力する。二次凝縮器は、第２の空気流を受け取り、第３の空気流を一次凝縮器に出力する。一次凝縮器は、第３の空気流を受け取り、除湿された空気流を出力する。圧縮器は、一次蒸発器から冷媒の流れを受け取り、冷媒の流れを一次凝縮器に提供する。【選択図】図１
2020104108.tif 000002
【特許請求の範囲】
【請求項１】
一次計量デバイスと、
二次計量デバイスと、
コイルパック
副冷却コイルと、
圧縮器と、
ファンとを含み、
前記コイルパックは、二次蒸発器部分と、一次蒸発器部分と、二次凝縮器部分とを含み、
前記二次蒸発器部分は、
前記一次計量デバイスから冷媒の流れを受け取り、
入口空気流を受け取って、第１の空気流を出力する、
ように動作可能であり、
該第１の空気流は、前記入口空気流よりも低温の空気を含み、前記第１の空気流は、前記入口空気流が前記二次蒸発器部分を通過するときに、前記入口空気流から前記冷媒の流れに熱を伝達することによって生成され、
前記一次蒸発器部分は、
前記二次計量デバイスから前記冷媒の流れを受け取り、
前記第１の空気流を受け取って、第２の空気流を出力する、
ように動作可能であり、
該第２の空気流は、前記第１の空気流よりも低温の空気を含み、前記第２の空気流は、前記第１の空気流が前記一次蒸発器部分を通過するときに、前記第１の空気流から前記冷媒の流れに熱を伝達することによって生成され、
前記二次凝縮器部分は、
前記二次蒸発器部分から前記冷媒の流れを受け取り、
前記第２の空気流を受け取って、第３の空気流を出力する、
ように動作可能であり、
該第３の空気流は、前記第２の空気流よりも高温で湿度の低い空気を含み、前記第３の空気流は、前記第２の空気流が前記二次凝縮器部分を通過するときに、前記冷媒の流れから前記第３の空気流に熱を伝達することによって生成され、
前記副冷却コイルは、
一次凝縮器から前記冷媒の流れを受け取り、
前記冷媒の流れを前記一次計量デバイスに出力し、
前記第３の空気流を受け取って、第４の空気流を出力する、
ように動作可能であり、
該第４の空気流は、前記第３の空気流よりも高温で湿度の低い空気を含み、前記第４の空気流は、前記第３の空気流が前記副冷却コイルを通過するときに、前記冷媒の流れから前記第４の空気流に熱を伝達することによって生成され、
前記一次凝縮器は、
前記圧縮器から前記冷媒の流れを受け取り、
前記第４の空気流を受け取って、除湿された空気流を出力する、
ように動作可能であり、
該除湿された空気流は、前記第４の空気流よりも高温で湿度の低い空気を含み、前記除湿された空気流は、前記第４の空気流が前記一次凝縮器を通過するときに、前記冷媒の流れから前記除湿された空気流に熱を伝達することによって生成され、
前記圧縮器は、前記一次蒸発器から前記冷媒の流れを受け取って、前記冷媒の流れを前記一次凝縮器に提供するように動作可能であり、前記一次凝縮器に提供される前記冷媒の流れは、前記圧縮器で受け取る前記冷媒の流れよりも高い圧力を含み、
前記ファンは、前記入口空気流、前記第１の空気流、前記第２の空気流、前記第３の空気流、前記第４の空気流、および除湿された空気流を生成するように動作可能である、
除湿システム。
【請求項２】
前記コイルパックの前記一次蒸発器部分および／または前記コイルパックの前記二次蒸発器部分は、冷媒の流れのための２つまたはそれよりも多くの回路を含む、請求項１に記載の除湿システム。
【請求項３】
前記コイルパックの前記一次蒸発器部分および／または前記二次蒸発器部分への細分された冷媒の流れを提供するように動作可能な受動的および／または能動的な計量デバイスを含む、請求項２に記載の除湿システム。
【請求項４】
前記一次計量デバイスおよび前記二次計量デバイスは、前記コイルパックの前記一次蒸発器部分および／または前記二次蒸発器部分への細分された前記冷媒の流れを提供するように動作可能である、請求項２に記載の除湿システム。
【請求項５】
当該除湿システムは、自給式の持ち運び可能な除湿ユニット内に含められる、求項１に記載の除湿システム。
【請求項６】
当該除湿システムは、前記冷媒を１回の冷凍サイクルにおいて二度蒸発させ且つ二度凝縮させるように動作可能である、請求項１に記載の除湿システム。
【請求項７】
前記二次計量デバイスは、実質的に開放した状態で作動させられる、請求項１に記載の除湿システム。
【請求項８】
圧縮器と、
一次凝縮器と、
一次蒸発器部分と、二次蒸発器部分と、二次凝縮器部分とを含む、コイルパックとを含み、
前記二次蒸発器部分は、入口空気流を受け取って、第１の空気流を出力するように動作可能であり、該第１の空気流は、前記入口空気流よりも低温の空気を含み、前記第１の空気流は、前記入口空気流が前記二次蒸発器部分を通過するときに、前記入口空気流から冷媒の流れに熱を伝達することによって生成され、
前記一次蒸発器部分は、前記第１の空気流を受け取って、第２の空気流を出力するように動作可能であり、該第２の空気流は、前記第１の空気流よりも低温の空気を含み、前記第２の空気流は、前記第１の空気流が前記一次蒸発器部分を通過するときに、前記第１の空気流から前記冷媒の流れに熱を伝達することによって生成され、
前記二次凝縮器部分は、前記第２の空気流を受け取って、第３の空気流を出力するように動作可能であり、該第３の空気流は、前記第２の空気流よりも高温で湿度の低い空気を含み、前記第３の空気流は、前記第２の空気流が前記二次凝縮器部分を通過するときに、前記冷媒の流れから前記第３の空気流に熱を伝達することによって生成され、
前記一次凝縮器は、前記第３の空気流を受け取って、除湿された空気流を出力するように動作可能であり、該除湿された空気流は、前記第３の空気流よりも湿度が低く高温の空気を含み、前記除湿された空気流は、前記第３の空気流が前記一次凝縮器を通過するときに、前記冷媒の流れから前記除湿された空気流に熱を伝達することによって生成され、
前記圧縮器は、単一のコイルパックの前記一次蒸発器部分から前記冷媒の流れを受け取って、前記冷媒の流れを前記一次凝縮器に提供するように動作可能である、
除湿システム。
【請求項９】
前記コイルパックの前記一次蒸発器部分および／または前記コイルパックの前記二次蒸発器部分は、冷媒の流れのための２つまたはそれよりも多くの回路を含む、請求項８に記載の除湿システム。
【請求項１０】
前記コイルパックの前記一次蒸発器部分および／または前記二次蒸発器部分への細分された冷媒の流れを提供するように動作可能な受動的および／または能動的な計量デバイスを含む、請求項９に記載の除湿システム。
【請求項１１】
一次計量デバイスと、
二次計量デバイスとを更に含み、
前記一次計量デバイスおよび前記二次計量デバイスは、前記コイルパックの前記一次蒸発器部分および／または前記二次蒸発器部分への細分された冷媒の流れを提供するように動作可能である、
請求項９に記載の除湿システム。
【請求項１２】
前記二次計量デバイスは、固定的なまたは可変な膨張デバイスであり、
前記一次計量デバイスは、固定的なまたは可変な膨張デバイスである、
請求項１１に記載の除湿システム。
【請求項１３】
前記入口空気流、前記第１の空気流、前記第２の空気流、前記第３の空気流、および前記除湿された空気流を生成するように動作可能なファンを更に含む、請求項９に記載の除湿システム。
【請求項１４】
当該除湿システムは、自給式の持ち運び可能な除湿ユニット内に含められる、請求項９に記載の除湿システム。
【請求項１５】
当該除湿システムは、前記冷媒を１回の冷凍サイクルにおいて二度蒸発させ且つ二度凝縮させるように動作可能である、請求項９に記載の除湿システム。
【請求項１６】
前記二次計量デバイスは、実質的に開放した状態で作動させられる、請求項１１に記載の除湿システム。
【請求項１７】
圧縮器と、
一次凝縮器と、
一次蒸発器と、
二次蒸発器部分と、二次凝縮器部分とを含む、コイルパックとを含み、
前記二次蒸発器部分は、入口空気流を受け取って、第１の空気流を出力するように動作可能であり、該第１の空気流は、前記入口空気流よりも低温の空気を含み、前記第１の空気流は、前記入口空気流が前記二次蒸発器部分を通過するときに、前記入口空気流から冷媒の流れに熱を伝達することによって生成され、
前記一次蒸発器は、前記第１の空気流を受け取って、第２の空気流を出力するように動作可能であり、該第２の空気流は、前記第１の空気流よりも低温の空気を含み、前記第２の空気流は、前記第１の空気流が前記一次蒸発器を通過するときに、前記第１の空気流から前記冷媒の流れに熱を伝達することによって生成され、
前記二次凝縮器部分は、前記第２の空気流を受け取って、第３の空気流を出力するように動作可能であり、該第３の空気流は、前記第２の空気流よりも高温で湿度の低い空気を含み、前記第３の空気流は、前記第２の空気流が前記二次凝縮器部分を通過するときに、前記冷媒の流れから前記第３の空気流に熱を伝達することによって生成され、
前記一次凝縮器は、前記第３の空気流を受け取って、除湿された空気流を出力するように動作可能であり、該除湿された空気流は、前記第３の空気流よりも湿度が低く高温の空気を含み、前記除湿された空気流は、前記第３の空気流が前記一次凝縮器を通過するときに、前記冷媒の流れから前記除湿された空気流に熱を伝達することによって生成され、
前記圧縮器は、単一のコイルパックの前記一次蒸発器から前記冷媒の流れを受け取って、前記冷媒の流れを前記一次凝縮器に提供するように動作可能である、
除湿システム。
【請求項１８】
前記一次蒸発器および／または前記コイルパックの前記二次蒸発器部分は、冷媒の流れのための２つまたはそれよりも多くの回路を含む、請求項１７に記載の除湿システム。
【請求項１９】
前記一次蒸発器および／または前記コイルパックの前記二次蒸発器部分への細分された冷媒の流れを提供するように動作可能な固定的および／または可変な計量デバイスを含む、請求項１７に記載の除湿システム。
【請求項２０】
一次計量デバイスと、
二次計量デバイスとを更に含み、
前記一次計量デバイスおよび前記二次計量デバイスは、前記一次蒸発器および／または前記コイルパックの前記二次蒸発器部分への細分された冷媒の流れを提供するように動作可能である、
請求項１７に記載の除湿システム。
【請求項２１】
前記二次計量デバイスは、固定的なまたは可変な膨張デバイスであり、
前記一次計量デバイスは、固定的なまたは可変な膨張デバイスである、
請求項１７に記載の除湿システム。
【請求項２２】
前記入口空気流、前記第１の空気流、前記第２の空気流、前記第３の空気流、および前記除湿された空気流を生成するように動作可能なファンを更に含む、請求項１７に記載の除湿システム。
【請求項２３】
当該除湿システムは、自給式の持ち運び可能な除湿ユニット内に含められる、請求項１７に記載の除湿システム。
【請求項２４】
当該除湿システムは、前記冷媒を１回の冷凍サイクルにおいて二度蒸発させ且つ二度凝縮させるように動作可能である、請求項１７に記載の除湿システム。
【請求項２５】
前記二次計量デバイスは、実質的に開放した状態で作動させられる、請求項２０に記載の除湿システム。
【発明の詳細な説明】
【技術分野】
【０００１】
（関連出願の参照）
本出願は、Dwaine  Walter  Tucker  et  al.によって２０１７年３月１６日に出願された「DEHUMIDIFIER  WITH  SECONDARY  EVAPORATOR  AND  CONDENSER  COILS」という名称の米国非仮出願第１５／４６０，７７２号の優先権を主張する一部継続出願であり、その全文を参照として本明細書に援用する。
【０００２】
本発明は、一般的には、除湿(dehumidification)に関し、より具体的には、二次蒸発器および凝縮器コイル(secondary  evaporator  and  condenser  coils)を備える除湿器(dehumidifier)に関する。
【背景技術】
【０００３】
特定の状況では、構造(structure)内の空気の湿度を減少させることが望ましい。例えば、火災および洪水復旧用途では、損傷した構造の領域から水を迅速に除去することが望ましいことがある。これを達成するために、１以上(１つまたはそれよりも多く)の持ち運び可能な除湿器を構造内に配置して、水損領域に向かって乾燥空気を方向付けることができる。しかしながら、現在の除湿器は、様々な点で非効率的であることが証明されている。
【発明の概要】
【０００４】
本開示の実施形態によれば、以前のシステムに関連する不利点および問題が軽減または解消されることがある。
【０００５】
特定の実施形態では、除湿システムが、圧縮器、一次蒸発器、一次凝縮器、二次蒸発器、および二次凝縮器を含む。二次蒸発器は、入口空気流を受け取り、第１の空気流を一次蒸発器に出力する。一次蒸発器は、第１の空気流を受け取り、第２の空気流を二次凝縮器に出力する。二次凝縮器は、第２の空気流を受け取り、第３の空気流を一次凝縮器に出力する。一次凝縮器は、第３の空気流を受け取り、除湿された空気流を出力する。圧縮器は、一次蒸発器から低温、低圧の冷媒蒸気の流れを受け取り、高温、高圧の冷媒蒸気の流れを一次凝縮器に供給する。
【０００６】
本開示の特定の実施形態は、１以上(１つまたはそれよりも多く)の技術的利点を提供することがある。例えば、特定の実施形態は、閉塞された冷凍ループを利用する、２つの蒸発器、２つの凝縮器、および２つの計量デバイスを含む。この構成は、システム内の冷媒の一部を一回の冷凍サイクルにおいて二度蒸発させ且つ凝縮させ、それによって、圧縮器に追加的な電力を加えることなく、典型的なシステムに対して圧縮器容量を増加させる。これは、ひいては、使用される電力のキロワット当たりのより多くの除湿を提供することによって、システムの全体的な効率を高める。出力される空気流のより低い湿度は、乾燥電位(drying  potential)の増大を可能にすることがあり、それは特定の用途（例えば、火災および洪水復旧）において有益なことがある。
【０００７】
本開示の特定の実施形態は、上記利点の一部または全部を含むことがあり、或いは全く含まないことがある。１以上の他の技術的利点は、本明細書に含まれる図面、記述、および請求項から当業者に直ちに明らかになることがある。
【０００８】
本発明および構成およびそれらの利点のより完全な理解をもたらすために、添付の図面と併せて以下の記述を参照する。
【図面の簡単な説明】
【０００９】
【図１】特定の実施形態に従った、構造内の空気の湿度を減少させる例示的な分割システムを例示している。
【図２】特定の実施形態に従った、構造内の空気の湿度を減少させる例示的な持ち運び可能なシステムを例示している。
【図３】特定の実施形態に従った、構造内の空気の湿度を減少させる図１および図２のシステムによって使用されることがある例示的な除湿システムを例示している。
【図４】特定の実施形態に従った、構造内の空気の湿度を減少させるために図１および図２のシステムによって使用されることがある例示的な除湿システムを例示している。
【図５】特定の実施形態に従った、構造内の空気の湿度を減少させるために図１および２のシステムによって使用されることがある例示的な除湿方法を例示している。
【図６】特定の実施形態に従った、例示的な除湿システムを例示している。
【図７】特定の実施形態に従った、本明細書に記載するシステムにおける使用のための例示的な凝縮器システムを例示している。
【図８】特定の実施形態に従った、例示的な除湿システムを例示している。
【図９】特定の実施形態に従った、本明細書に記載するシステムにおける使用のための単一コイルパックの例を例示している。
【図１０】特定の実施形態に従った、本明細書に記載するシステムにおける使用のための単一コイルパックの例を例示している。
【図１１】特定の実施形態に従った、本明細書に記載するシステムにおける使用のための３つの回路を含む一次蒸発器の例を例示している。
【図１２】特定の実施形態に従った、本明細書に記載するシステムにおける使用のための３つの回路を含む一次蒸発器の例を例示している。
【図１３】特定の実施形態に従った、本明細書に記載するシステムにおける使用のための３つの回路を含む一次蒸発器の例を例示している。
【図１４】特定の実施形態に従った、本明細書に記載するシステムにおける使用のための３つの回路を含む一次蒸発器の例を例示している。
【発明を実施するための形態】
【００１０】
特定の状況では、構造(structure)内の空気の湿度を減少させることが望ましい。例えば、火災および洪水復旧用途では、１以上(１つまたはそれよりも多く)の持ち運び可能な除湿器ユニットを構造内に配置することによって、損傷した構造から水を除去することが望ましい場合がある。別の例として、高い湿度レベルの気象を経験する領域では、或いは低い湿度レベルが要求される建造物（例えば、図書館）では、中央空調システム内に除湿ユニットを設置することが望ましい場合がある。更に、幾つかの商業的用途では、所望の湿度レベルを保持することが必要な場合がある。しかしながら、現在の除湿器は、様々な点で不十分または非効率であることが証明されている。
【００１１】
現在の除湿システムの非効率性および他の問題に対処するために、開示の実施形態は、多段システム内の冷媒の一部が一回の冷凍サイクル(refrigeration  cycle)内で二度蒸発し且つ凝縮する、二次蒸発器(secondary  evaporator)および二次凝縮器(secondary  condenser)を含む除湿システム(dehumidification  system)を提供する。これは、圧縮器(compressor)に如何なる追加的な電力も加えることなく典型的なシステムに対して圧縮器容量を増加させる。これは、ひいては、使用される電力のキロワット当たりより多くの除湿を提供することによってシステムの全体効率を向上させる。
【００１２】
図１は、特定の実施形態に従った、構造１０２に除湿された空気１０６を供給するための例示的な除湿システム１００を例示している。除湿システム１００は、構造１０２内に配置された蒸発器システム１０４を含む。構造１０２は、アパート建築物、ホテル、オフィス空間、商業建築物、または個人の住居（例えば、家）のような、建築物または他の適切な密閉空間の全部または一部を含むことがある。蒸発器システム１０４は、構造１０２内から入口空気１０１(inlet  air)を受け取り、受け取った入口空気１０１内の水分を減少させ、除湿された空気１０６を構造１０２に戻す。蒸発器システム１０４は、例示のように、空気ダクトを介して構造１０２を通じて除湿された空気１０６を分配することがある。
【００１３】
一般的に、除湿システム１００は、蒸発器システム１０４が構造１０２の外部に配置される遠隔凝縮器システム１０８に連結される、分割システム(split  system)である。遠隔凝縮器システム１０８は、冷凍サイクルの一部として冷媒の流れを処理することによって蒸発器システム１０４の機能を促進する、凝縮器ユニット１１２および圧縮器ユニット１１４を含んでよい。冷媒の流れは、Ｒ４１０ａ冷媒のような任意の適切な冷却材料を含んでよい。特定の実施形態において、圧縮器ユニット１１４は、冷媒ライン１１６を介して蒸発器システム１０４から冷媒蒸気の流れを受け取ってよい。圧縮器ユニット１１４は、冷媒の流れを加圧し、それによって、冷媒の温度を上昇させる。圧縮器の速度は、所望の動作特性を達成するように変調されてよい。凝縮器ユニット１１２は、圧縮器ユニット１１４から圧縮された冷媒蒸気の流れを受け取り、冷媒の流れから構造１０２の外部の周囲空気への熱伝達を促進することによって、圧縮された冷媒を冷却してよい。特定の実施形態において、遠隔凝縮器システム１０８は、マイクロチャネル熱交換器のような、熱交換器を利用して、冷媒の流れから熱を除去してよい。遠隔凝縮器システム１０８は、冷媒の流れを冷却する際の使用のために外側構造１０２から周囲空気を引き込むファンを含んでよい。特定の実施形態において、このファンの速度は、所望の動作特性を達成するように変調される。例示的な凝縮器システムの例示的な実施形態が、例えば、（以下に更に詳細に記載される）図７に示されている。
【００１４】
凝縮器ユニット１１２によって冷却されて液体に凝縮された後に、冷媒の流れは、冷媒ライン１１８によって蒸発器システム１０４に移動してよい。特定の実施形態において、冷媒の流れは、冷媒の流れの圧力を低下させることによって冷媒の流れの温度を低下させる、（以下に更に詳細に記載される）膨張デバイスによって受け取られてよい。蒸発器システム１０４の（以下に更に詳細に記載される）蒸発器ユニットは、膨張デバイスから冷媒の流れを受け取り、冷媒の流れを使用して、入って来る空気流を除湿し且つ冷却してよい。次に、冷媒の流れは、遠隔凝縮器システム１０８に戻って、このサイクルを繰り返してよい。
【００１５】
特定の実施形態において、蒸発器システム１０４は、送風機(エアムーバー)(air  mover)と直列に設置されてよい。送風機は、空気を１つの場所から別の場所に送風するファンを含んでよい。送風機は、蒸発器システム１０４から構造１０２の様々な部分に出て行く空気の分配を促進することがある。送風機および蒸発器システム１０４は、空気を引き込む別個の戻り入口(return  inlets)を有してよい。特定の実施形態では、蒸発器システム１０４から出て行く空気は、別の構成要素(コンポーネント)（例えば、空調装置）によって生成される空気と混合され、送風機によって空気ダクトを通じて吹かれてよい。他の実施形態において、蒸発器システム１０４は、冷却および除湿の両方を行ってよく、よって、従来的な空調装置を伴わずに使用されてよい。
【００１６】
除湿システム１００の特定の実施形態が例示され、主に記載されるが、本開示は、特定の必要性に従って、除湿システム１００のあらゆる適切な実施を想定する。その上、除湿システム１００の様々な構成要素は、特定の位置に配置されるように描写されるが、本開示は、特定の必要性に従って、これらの構成要素があらゆる適切な場所に位置付けられることを想定する。
【００１７】
図２は、本開示の特定の実施形態に従った、構造１０２内の空気の湿度を減少させる例示的な持ち運び可能な除湿システム２００を例示している。除湿システム２００は、除湿された空気１０６を、除湿を必要とする領域（例えば、水損領域）に方向付けるために、構造１０２内の任意の場所に位置付けられてよい。一般的に、除湿システム２００は、入口空気流１０１(inlet  airflow)を受け取り、入口空気流１０１から水を除去し、除湿された空気１０６を構造１０２内に排出して戻す。特定の実施形態において、構造１０２は、（例えば、洪水または火災の結果として）水害を受けた空間を含む。水損構造１０２を復旧するために、構造１０２内の空気の湿度を迅速に低減させることによって水害を受けた構造１０２の部分を乾燥させるために、１以上の除湿システム２００が、構造１０２内に戦略的に位置付けられてよい。
【００１８】
持ち運び可能な除湿システム２００の特定の実施が例示され、主に記載されるが、本開示は、特定の必要性に従って、持ち運び可能な除湿システム２００のあらゆる適切な実施を想定する。その上、持ち運び可能な除湿システム２００の様々な構成要素は、構造１０２内の特定の位置に配置されるように描写されているが、本開示は、特定の必要性に従って、それらの構成要素があらゆる適切な場所に位置付けられることを想定する。
【００１９】
図３および図４は、構造１０２内の空気の湿度を減少させるために、図１および図２の除湿システム１００および持ち運び可能な除湿システム２００によって使用されてよい例示的な除湿システム３００を例示している。除湿システム３００は、一次蒸発器３１０と、一次凝縮器３３０と、二次蒸発器３４０と、二次凝縮器３２０と、圧縮器３６０と、一次計量デバイス３８０と、二次計量デバイス３９０と、ファン３７０とを含む。幾つかの実施形態において、除湿システム３００は、追加的に、副冷却コイル３５０を含んでよい。特定の実施形態において、副冷却コイル３５０および一次凝縮器３３０は、単一のコイルに組み込まれる。例示のように、冷媒３０５の流れは、除湿システム３００を通じて循環される。一般的に、除湿システム３００は、入口空気流１０１を受け取り、入口空気流１０１から水を除去し、除湿された空気１０６を排出する。水は、冷媒３０５の流れの冷凍サイクルを使用して入口空気１０１から除去される。しかしながら、二次蒸発器３４０および二次凝縮器３２０を含むことによって、除湿システム３００は、冷媒３０５の流れの少なくとも一部を単一の冷凍サイクル内で二度蒸発させ且つ凝縮させる。これは、圧縮器に追加的な電力を加えることなく、典型的なシステムに対して冷凍容量(refrigeration  capacity)を増加させ、それによって、システムの全体的な除湿効率を増加させる。
【００２０】
一般的に、除湿システム３００は、二次蒸発器３４０の飽和温度を二次凝縮器３２０の飽和温度に適合させることを試みる。二次蒸発器３４０および二次凝縮器３２０の飽和温度は、一般的に、（取込み空気１０１の温度＋第２の空気流３１５の温度）／２という式に従って制御される。二次蒸発器３４０の飽和温度は、入口空気１０１よりも低いので、蒸発は、二次蒸発器３４０内で起こる。二次凝縮器３２０の飽和温度は、第２の空気流３１５よりも高いので、凝縮は、二次凝縮器３２０内で起こる。二次蒸発器３４０で蒸発する冷媒３０５の量は、二次凝縮器３２０内で凝縮する量と実質的に等しい。
【００２１】
一次蒸発器３１０は、二次計量デバイス３９０から冷媒３０５の流れを受け取り、冷媒３０５の流れを圧縮器３６０に出力する。一次蒸発器３１０は、任意のタイプのコイル（例えば、フィンチューブ、マイクロチャネルなど）であってよい。一次蒸発器３１０は、二次蒸発器３４０から第１の空気流３４５を受け取り、第２の空気流３１５を二次凝縮器３２０に出力する。第２の空気流３１５は、一般的に、第１の空気流３４５よりも低い温度にある。入って来る第１の空気流３４５を冷却するために、一次蒸発器３１０は、第１の空気流３４５から冷媒３０５の流れに熱を伝達し、それによって、冷媒３０５の流れを少なくとも部分的に液体から気体に蒸発させる。第１の空気流３４５から冷媒３０５の流れへのこの熱の伝達も、第１の空気流３４５から水を除去する。
【００２２】
二次凝縮器３２０は、二次蒸発器３４０から冷媒３０５の流れを受け取り、冷媒３０５の流れを二次計量デバイス３９０に出力する。二次凝縮器３２０は、任意のタイプのコイル（例えば、フィンチューブ、マイクロチャネルなど）であってよい。二次凝縮器３２０は、一次蒸発器３１０から第２の空気流３１５を受け取り、第３の空気流３２５を出力する。第３の空気流３２５は、一般的に、第２の空気流３１５よりも暖かく乾燥している（すなわち、露点は同じであるが、相対湿度はより低い）。二次凝縮器３２０は、冷媒３０５の流れから第２の空気流３１５に熱を伝達することによって第３の空気流３２５を生成し、それによって、冷媒３０５の流れを少なくとも部分的に気体から液体に凝縮させる。
【００２３】
一次凝縮器３３０は、圧縮器３６０から冷媒３０５の流れを受け取り、冷媒３０５の流れを一次計量デバイス３８０または副冷却コイル３５０のいずれかに出力する。一次凝縮器３３０は、任意のタイプのコイル（例えば、フィンチューブ、マイクロチャネルなど）であってよい。一次凝縮器３３０は、第３の空気流３２５または第４の空気流３５５のいずれかを受け取り、除湿された空気１０６を出力する。除湿された空気１０６は、一般的に、第３の空気流３２５および第４の空気流３５５よりも温かく乾燥している（すなわち、より低い相対湿度を有する）。一次凝縮器３３０は、冷媒３０５の流れから熱を伝達することによって除湿された空気１０６を生成し、それによって、冷媒３０５の流れを少なくとも部分的に気体から液体に凝縮させる。幾つかの実施態様において、一次凝縮器３３０は、冷媒３０５の流れを完全に液体に凝縮する（すなわち、１００％液体に凝縮する）。他の実施形態において、一次凝縮器３３０は、冷媒３０５の流れを部分的に液体に凝縮する（すなわち、１００％未満の液体に凝縮する）。特定の実施形態では、図４に示すように、一次凝縮器３３０の一部は、空気流１０１に加えて、別個の空気流を受け取る。例えば、図４の一次凝縮器３３０の最も右の縁は、二次蒸発器３４０、一次蒸発器３１０、二次凝縮器３２０、および副冷却コイル３５０の最も右の縁を越えて延びるか、或いは張り出す(オーバーハングする)。一次凝縮器３３０のこの張出し部分は、追加的な別個の空気流を受け取ることがある。
【００２４】
二次蒸発器３４０は、一次計量デバイス３８０から冷媒３０５の流れを受け取り、冷媒３０５の流れを二次凝縮器３２０に出力する。二次蒸発器３４０は、任意のタイプのコイル（例えば、フィンチューブ、マイクロチャネルなど）であってよい。二次蒸発器３４０は、入口空気１０１を受け取り、第１の空気流３４５を一次蒸発器３１０に出力する。第１の空気流３４５は、一般的に、入口空気１０１よりも低い温度にある。入って来る入口空気１０１を冷却するために、二次蒸発器３４０は、入口空気１０１から冷媒３０５の流れに熱を伝達し、それによって、冷媒３０５の流れを少なくとも部分的に液体から気体に蒸発させる。
【００２５】
除湿システム３００の任意的な構成要素である副冷却コイル３５０は、液体冷媒３０５が一次凝縮器３３０を離れるときに、液体冷媒３０５を副冷却する。これは、ひいては、一次計量デバイス３８０に、液体冷媒が副冷却コイル３５０に入る前よりも３０度（または３０度よりも高い温度）だけ低い、液体冷媒を供給する。例えば、副冷却コイル３５０に入る冷媒３０５の流れが３４０ｐｓｉｇ／１０５°Ｆ／６０％蒸気にあるならば、冷媒３０５の流れは、冷媒３０５の流れが副冷却コイル３５０を出るときに、３４０ｐｓｉｇ／８０°Ｆ／０％蒸気であることがある。副冷却された冷媒３０５は、より大きな熱エンタルピー係数ならびに密度を有し、それは冷媒３０５の流れの蒸発サイクルのサイクル時間および頻度の削減をもたらす。これは除湿システム３００のより大きな効率およびより少ないエネルギ使用をもたらす。除湿システム３００の実施形態は、副冷却コイル３５０を含んでよく、含まなくてもよい。例えば、マイクロチャネル凝縮器３３０または３２０を有する持ち運び可能な除湿システム２００内で利用される除湿システム３００の実施形態は、副冷却コイル３５０を含むことがある一方で、別のタイプの凝縮器３３０または３２０を利用する除湿システム３００の実施形態は、副冷却コイル３５０を含まないことがある。別の例として、除湿システム１００のような分割システム内で利用される除湿システム３００は、副冷却コイル３５０を含まないことがある。
【００２６】
圧縮器３６０は、冷媒３０５の流れを加圧し、それによって、冷媒３０５の温度を上昇させる。例えば、圧縮器３６０に入る冷媒３０５の流れが１２８ｐｓｉｇ／５２°Ｆ／１００％蒸気にあるならば、冷媒３０５の流れは、冷媒３０５の流れが圧縮器３６０を出るときに、３４０ｐｓｉｇ／１５０°Ｆ／１００％蒸気であることがある。圧縮器３６０は、一次蒸発器３１０から冷媒３０５の流れを受け取り、冷媒３０５の加圧された流れを一次凝縮器３３０に供給する。
【００２７】
ファン３７０は、入口空気１０１を除湿システム３００内に、そして、二次蒸発器３４０、一次蒸発器３１０、二次凝縮器３２０、副冷却コイル３５０、および一次凝縮器３３０を通じて引き込むように動作可能な、任意の適切な構成要素を含んでよい。ファン３７０は、任意のタイプの送風機（例えば、軸流ファン、前方傾斜インペラ、後方傾斜インペラなど）であってよい。例えば、ファン３７０は、図３に例示するように、一次凝縮器３３０に隣接して位置付けられる後方傾斜インペラであってよい。ファン３７０は、一次凝縮器３３０に隣接して配置されるものとして図３に描写されているが、ファン３７０は、除湿システム３００の空気流路に沿う任意の場所に配置されてよいことが理解されるべきである。例えば、ファン３７０は、空気流１０１、３４５、３１５、３２５、３５５、または１０６のいずれか１つの空気流路内に位置付けられてよい。その上、除湿システム３００は、これらの空気流路のうちの任意の１以上の空気流路内に位置付けられる１以上の追加的なファンを含んでよい。
【００２８】
一次計量デバイス３８０および二次計量デバイス３９０は、任意の適切なタイプの計量／膨張デバイスである。幾つかの実施形態において、一次計量デバイス３８０は、熱膨張弁（ＴＸＶ）であり、二次計量デバイス３９０は、固定オリフィスデバイスであり、（或いはその逆である）。特定の実施形態において、計量デバイス３８０および３９０は、冷媒３０５の流れから圧力を除去して、蒸発器３１０および３４０内の液体から蒸気への状態の変化または膨張を可能にする。計量デバイス３８０、３９０内に入る高圧液体（または殆ど液体）の冷媒は、計量デバイス３８０、３９０を出る液体冷媒３０５よりも高い温度にある。例えば、一次計量デバイス３８０に入る冷媒３０５の流れが３４０ｐｓｉｇ／８０°Ｆ／０％蒸気にあるならば、冷媒３０５の流れは、冷媒３０５の流れが一次計量デバイス３８０を出るときに、１９６ｐｓｉｇ／６８°Ｆ／５％蒸気であることがある。別の例として、二次計量デバイス３９０に入る冷媒３０５の流れが１９６ｐｓｉｇ／６８°Ｆ／４％蒸気にあるならば、冷媒３０５の流れは、冷媒３０５の流れが二次計量デバイス３９０を出るときに、１２８ｐｓｉｇ／４４°Ｆ／１４％蒸気であることがある。
【００２９】
冷媒３０５は、Ｒ４１０ａのような任意の適切な冷媒であってよい。一般的に、除湿システム３００は、圧縮器３６０から、一次凝縮器３３０、（任意的に）副冷却コイル３５０、一次計量デバイス３８０、二次蒸発器３４０、二次凝縮器３２０、二次計量デバイス３９０、および一次蒸発器３１０を通じる、冷媒３０５の閉冷媒ループを利用する。圧縮器３６０は、冷媒３０５の流れを加圧し、それによって、冷媒３０５の温度を上昇させる。任意の適切な熱交換器を含んでよい一次凝縮器および二次凝縮器３３０および３２０は、冷媒３０５の流れから一次凝縮器および二次凝縮器を通過するそれぞれの空気流（すなわち、第４の空気流３５５および第２の空気流３１５）への熱伝達を促進することによって、加圧された冷媒３０５の流れを冷却する。一次凝縮器および二次凝縮器３３０および３２０を出る冷却された冷媒３０５の流れは、冷媒３０５の流れの圧力を減少させ、それによって、冷媒３０５の流れの温度を減少させるように動作可能な、それぞれの膨張デバイス（すなわち、一次計量デバイス３８０および二次計量デバイス３９０）に入ってよい。任意の適切な熱交換器を含んでよい一次蒸発器３１０および二次蒸発器３４０は、それぞれ、二次計量デバイス３９０および一次計量デバイス３８０から冷媒３０５の流れを受け取る。一次蒸発器３１０および二次蒸発器３４０は、それらを通過するそれぞれの空気流（すなわち、入口空気１０１および第１の空気流３４５）から冷媒３０５の流れへの熱の伝達を促進する。冷媒３０５の流れは、一次蒸発器３１０を出た後に、圧縮器３６０に戻り、サイクルが繰り返される。
【００３０】
特定の実施形態において、上述の冷凍ループは、蒸発器３１０および３４０が浸水状態で作動するように構成されてよい。換言すれば、冷媒３０５の流れは、液体状態で蒸発器３１０、３４０に入ることがあり、冷媒３０５の流れの一部は、蒸発器３１０、３４０を出るときに、依然として液体状態であることがある。従って、（熱が冷媒３０５の流れに伝達されるときの液体から蒸気への）冷媒３０５の流れの相変化は、蒸発器３１０および３４０に亘って生じ、蒸発器３１０および３４０全体に亘ってほぼ一定な圧力および温度（結果的に、冷却容量(cooling  capacity)の増大）をもたらす。
【００３１】
除湿システム３００の例示的な実施形態の動作において、入口空気１０１は、ファン３７０によって除湿システム３００内に引き込まれてよい。入口空気１０１は、二次蒸発器３４０を通過し、二次蒸発器３４０では、熱が、入口空気１０１から、二次蒸発器３４０を通過する低温の冷媒３０５の流れに伝達される。その結果、入口空気１０１が冷却されることがある。一例として、入口空気１０１が８０°Ｆ／６０％湿度にあるならば、二次蒸発器３４０は、７０°Ｆ／８４％湿度で第１の空気流３４５を出力することがある。これは冷媒３０５の流れを二次蒸発器３４０内で部分的に蒸発させることがある。例えば、二次蒸発器３４０に入る冷媒３０５の流れが１９６ｐｓｉｇ／６８°Ｆ／５％蒸気にあるならば、冷媒３０５の流れは、二次蒸発器３４０を出るときに、１９６ｐｓｉｇ／６８°Ｆ／３８％蒸気である。
【００３２】
冷却された入口空気１０１は、第１の空気流３４５として二次蒸発器３４０から出て、一次蒸発器３１０に入る。二次蒸発器３４０と同様に、一次蒸発器３１０は、熱を、第１の空気流３４５から、一次蒸発器３１０を通過する低温の冷媒３０５の流れに伝達する。その結果、第１の空気流３４５は、その露点温度までまたはその露点温度より下に冷却されて、第１の空気流れ３４５内の水分を凝縮させることがある（それによって、第１の空気流３４５の絶対湿度を減少させることがある）。一例として、第１の空気流３４５が７０°Ｆ／８４％湿度にあるならば、一次蒸発器３１０は、５４°Ｆ／９８％湿度で第２の空気流３１５を出力することがある。これは冷媒３０５の流れを一次蒸発器３１０内で部分的または完全に蒸発させることがある。例えば、一次蒸発器３１０に入る冷媒３０５の流れが１２８ｐｓｉｇ／４４°Ｆ／１４％蒸気にあるならば、冷媒３０５の流れは、一次蒸発器３１０を出るときに、１２８ｐｓｉｇ／５２°Ｆ／１００％蒸気であることがある。特定の実施形態において、第１の空気流３４５からの液体凝縮物(liquid  condensate)は、図４に例示するように、凝縮物リザーバに接続されたドレインパン(drain  pan)内に収集されてよい。加えて、凝縮物リザーバは、収集すれる凝縮物を、連続的にまたは周期的な間隔で、（例えば、ドレインホース(drain  hose)を介して）除湿システム３００から適切な排出場所または貯蔵場所に移動させる、凝縮物凝縮液ポンプを含んでよい。
【００３３】
冷却された第１の空気流３４５は、第２の空気流３１５として第１の蒸発器３１０を出て、二次凝縮器３２０に入る。二次凝縮器３２０は、二次凝縮器３２０を通過する高温の冷媒３０５の流れから第２の空気流３１５への熱伝達を促進する。これは第２の空気流３１５を再加熱し、それによって、第２の空気流３１５の相対湿度を低下させる。一例として、第２の空気流３１５が５４°Ｆ／９８％湿度にあるならば、二次凝縮器３２０は、６５°Ｆ／６８％湿度で第３の空気流３２５を出力することがある。これは冷媒３０５の流れを二次凝縮器３２０内で部分的または完全に凝縮させることがある。例えば、二次凝縮器３２０に入る冷媒３０５の流れが１９６ｐｓｉｇ／６８°Ｆ／３８％蒸気にあるならば、冷媒３０５の流れは、二次凝縮器３２０を出るときに、１９６ｐｓｉｇ／６８°Ｆ／４％蒸気である。
【００３４】
幾つかの実施態様において、除湿された第２の空気流３１５は、第３の空気流３２５として二次凝縮器３２０を出て、一次凝縮器３３０に入る。一次凝縮器３３０は、一次凝縮器３３０を通過する高温の冷媒３０５の流れから第３の空気流３２５への熱伝達を促進する。これは第３の空気流３２５を更に加熱し、それによって、第３の空気流３２５の相対湿度を更に低下させる。一例として、第３の空気流３２５が６５°Ｆ／６８％湿度にあるならば、二次凝縮器３２０は、１０２°Ｆ／１９％湿度で除湿された空気１０６を出力することがある。これは冷媒３０５の流れを一次凝縮器３３０内で部分的または完全に凝縮させることがある。例えば、一次凝縮器３３０に入る冷媒３０５の流れが３４０ｐｓｉｇ／１５０°Ｆ／１００％蒸気にあるならば、冷媒３０５の流れは、一次凝縮器３３０を出るときに、３４０ｐｓｉｇ／１０５°Ｆ／６０％蒸気であることがある。
【００３５】
上述のように、除湿システム３００の幾つかの実施形態は、二次凝縮器３２０と一次凝縮器３３０との間の空気流中に副冷却コイル３５０を含んでよい。副冷却コイル３５０は、副冷却コイル３５０を通過する高温の冷媒３０５の流れから第３の空気流３２５への熱伝達を促進する。これは第３の空気流３２５を更に加熱し、それによって、第３の空気流３２５の相対湿度を更に低下させる。一例として、第３の空気流３２５が６５°Ｆ／６８％湿度にあるならば、副冷却コイル３５０は、８１°Ｆ／３７％湿度で第４の空気流３５５を出力することがある。これは冷媒３０５の流れを副冷却コイル３５０内で部分的または完全に凝縮させることがある。例えば、副冷却コイル３５０に入る冷媒３０５の流れが３４０ｐｓｉｇ／１５０°Ｆ／６０％蒸気にあるならば、冷媒３０５の流れは、副冷却コイル３５０を出るときに、３４０ｐｓｉｇ／８０°Ｆ／０％蒸気であることがある。
【００３６】
除湿システム３００の幾つかの実施形態は、１以上の場所に１以上のコンピュータシステムを含んでよいコントローラを含んでよい。各コンピュータシステムは、（キーパッド、タッチスクリーン、マウス、または情報を受け入れることができる他のデバイスのような）任意の適切な入力デバイス、出力デバイス、大容量記憶媒体、またはデータを受信し、処理し、格納し、且つ通信するための他の適切な構成要素を含んでよい。入力デバイスおよび出力デバイスの両方は、磁気コンピュータディスク、ＣＤ−ＲＯＭ、またはユーザから入力を受信し且つユーザに出力を提供する他の適切な媒体のような、固定的なまたは取り外し可能な記憶媒体を含んでよい。各コンピュータシステムは、パーソナルコンピュータ、ワークステーション、ネットワークコンピュータ、キオスク、無線データポート、携帯情報端末（ＰＤＡ）、これらのまたは他のデバイス内の１以上のプロセッサ、または任意の他の適切な処理デバイスを含んでよい。手短に言えば、コントローラは、ソフトウェア、ファームウェア、およびハードウェアの任意の適切な組み合わせを含んでよい。
【００３７】
コントローラは、追加的に、１以上の処理モジュールを含んでよい。各処理モジュールは、それぞれ、１以上のマイクロプロセッサ、コントローラ、または任意の他の適切なコンピューティングデバイスまたはリソースを含んでよく、単独でまたは除湿システム３００の他の構成要素と共に作動して、本明細書に記載する機能性の一部または全部を提供することがある。コントローラは、追加的に、コンピュータメモリを含んでよい（あるいは無線または有線通信を介してコンピュータメモリに通信的に連結されてよい）。メモリは、任意のメモリまたはデータベースモジュールを含んでよく、磁気媒体、光学媒体、ランダムアクセス記憶装置（ＲＡＭ）、読出し専用記憶装置（ＲＯＭ）、リムーバブル媒体、または任意の他の適切なローカルまたはリモートメモリ構成要素を含むが、これらに限定されない、揮発性または不揮発性メモリの形態を取ってよい。
【００３８】
除湿システム３００の特定の実施形態が例示され且つ主に記載されているが、本開示は、特定の必要性に従って、除湿システム３００の任意の適切な実施を想定する。その上、除湿システム３００の様々な構成要素は、特定の位置に並びに互いに対して配置されるように描写されているが、本開示は、それらの構成要素が、特定の必要性に従って、任意の適切な場所に位置付けられることを想定する。
【００３９】
図５は、構造１０２内の空気の湿度を減少させるために図１および図２の除湿システム１００および持ち運び可能な除湿システム２００によって使用されることがある例示的な除湿方法５００を例示している。方法５００は、二次蒸発器が入口空気流を受け取り、第１の空気流を出力する、ステップ５１０で開始してよい。幾つかの実施態様において、第二蒸発器は、第二蒸発器３４０である。幾つかの実施形態において、入口空気流は、入口空気１０１であり、第１の空気流は、第１の空気流３４５である。幾つかの実施形態において、ステップ５１０の二次蒸発器は、一次計量デバイス３８０のような一次計量デバイスから冷媒の流れを受け取り、冷媒の流れを（変化した状態において）二次凝縮器３２０のような二次凝縮器に供給する。幾つかの実施態様において、方法５００の冷媒の流れは、上述の冷媒３０５の流れである。
【００４０】
ステップ５２０において、一次蒸発器が、ステップ５１０の第１の空気流を受け取り、第２の空気流を出力する。幾つかの実施態様において、一次蒸発器は、一次蒸発器３１０であり、第２の空気流は、第２の空気流３１５である。幾つかの実施形態において、ステップ５２０の一次蒸発器は、二次計量デバイス３９０のような二次計量デバイスから冷媒の流れを受け取り、冷媒の流れを（変化した状態において）圧縮器３６０のような圧縮器に供給する。
【００４１】
ステップ５３０で、二次凝縮器が、ステップ５２０の第２の空気流を受け取り、第３の空気流を出力する。幾つかの実施態様において、二次凝縮器は、二次凝縮器３２０であり、第３の空気流は、第３の空気流３２５である。幾つかの実施形態において、ステップ５３０の二次凝縮器は、ステップ５１０の二次蒸発器から冷媒の流れを受け取り、冷媒の流れを（変化した状態において）二次計量デバイス３９０のような二次計量デバイスに供給する。
【００４２】
ステップ５４０で、一次凝縮器が、ステップ５３０の第３の空気流を受け取り、除湿された空気流を出力する。幾つかの実施態様において、一次凝縮器は、一次凝縮器３３０であり、除湿された空気流は、除湿された空気１０６である。幾つかの実施形態において、ステップ５４０の一次凝縮器は、ステップ５２０の圧縮器から冷媒の流れを受け取り、冷媒の流れを（変化した状態において）ステップ５１０の一次計量デバイスに供給する。代替的な実施形態において、ステップ５４０の一次凝縮器は、冷媒の流れを（変化した状態において）副冷却コイル３５０のような副冷却コイルに供給し、副冷却コイルは、次に、冷媒の流れを（変化した状態において）ステップ５１０の一次計量デバイスに供給する。
【００４３】
ステップ５５０で、圧縮器は、ステップ５２０の一次凝縮器から冷媒の流れを受け取り、冷媒の流れを（変化した状態において）ステップ５４０の一次凝縮器に提供する。ステップ５５０の後に、方法５００は終了してよい。
【００４４】
特定の実施形態は、必要に応じて、図５の方法５００の１以上のステップを繰り返してよい。この開示は、特定の順序で起こる図５の方法の特定のステップを記載し且つ例示するが、この開示は、任意の適切な順序で起こる図５の方法の任意の適切なステップを想定する。その上、この開示は、図５の方法の特定のステップを含む、構造内の空気の湿度を減少させる例示的な除湿方法を記載し且つ例示するが、この開示は、必要に応じて、図５の方法のステップの全部または一部を含むことがある或いは図５の方法のステップを全く含まないことがある、任意の適切なステップを含む、構造内の空気の湿度を減少させる任意の適切な方法を想定する。更に、この開示は、図５の方法の特定のステップを実行する特定の構成要素、デバイス、またはシステムを記載し且つ例示するが、この開示は、図５の方法の任意の適切なステップを実行する任意の適切な構成要素、デバイス、またはシステムの任意の適切な組み合わせを想定する。
【００４５】
図５の例示的な方法は、時折、上記で、図３の除湿システム３００に関して記載されるが、同一または類似の方法が、（以下に記載する）図６および図８の除湿システム６００および８００を含む、本明細書に記載する除湿システムのいずれかを使用して、実行される得ることが理解されるべきである。その上、図５００の例示的な方法に関して、蒸発器または凝縮器への言及は、例えば、図９および図１０の例に関して上述したように、これらの構成要素の機能を実行するように動作可能な単一コイルパックの蒸発器部分または凝縮器部分を指し得ることが理解されるべきである。
【００４６】
図６は、構造１０２内の空気の湿度を減少させるために、図１の分割除湿システム１００に従って使用されてよい、例示的な除湿システム６００を例示している。除湿システム６００は、一般的に屋内にある除湿ユニット６０２と、凝縮器システム６０４（例えば、図１の凝縮器システム１０８）とを含む。除湿ユニット６０２は、一次蒸発器６１０と、二次蒸発器６４０と、二次凝縮器６２０と、一次計量デバイス６８０と、二次計量デバイス６９０と、第１のファン６７０とを含む一方で、凝縮器システム６０４は、一次凝縮器６３０と、圧縮器６６０と、任意的な副冷却コイル６５０と、第２のファン６９５とを含む。
【００４７】
例示のように、冷媒６０５の流れが、除湿システム６００を通じて循環される。一般的に、除湿ユニット６０２は、入口空気流６０１を受け取り、入口空気流６０１から水を除去し、除湿された空気６２５を調整された空間(conditioned  space)内に排出する。水は、冷媒６０５の流れの冷凍サイクルを使用して入口空気６０１から除去される。図６のシステム６００を通じる冷媒６０５の流れは、図３の除湿システム３００を通じる冷媒３０５の流れと同様に進行する。しかしながら、本明細書に記載するように、システム６００を通じる空気流の経路は、システム３００を通じる空気流の経路とは異なる。しかしながら、二次蒸発器６４０および二次凝縮器６２０を含むことによって、除湿システム６００は、冷媒６０５の流れの少なくとも一部を単一の冷凍サイクル内で二度蒸発および凝縮させる。これは圧縮器への追加的な電力を必要とすることなく典型的なシステムに亘って冷凍容量を増加させ、それによって、システムの全体的な効率を増加させる。
【００４８】
除湿ユニット６０２および凝縮器システム６０４を含む、システム６００の分割構成は、冷却および除湿プロセスからの熱が、屋外または調整されていない空間(unconditioned  space)（例えば、除湿される空間の外部）に放出されることを可能にする。これは、除湿システム６００が、典型的な中央空調システムまたはヒートポンプのフットプリントと類似のフットプリントを有することを可能にする。一般的に、システム６００から調整された空間に出力される第３の空気流６２５の温度は、図３のシステム３００から出力される空気流１０６の温度と比較して有意に減少させられる。よって、システム６００の構成は、除湿された空気が、減少させられた温度で、調整された空間に提供されることを可能にする。従って、システム６００は、（空気を除湿する）除湿器および（空気を冷却する）中央空調装置の両方の機能を実行することがある。
【００４９】
一般的に、除湿システム６００は、二次蒸発器６４０の飽和温度を二次凝縮器６２０の飽和温度に適合させることを試みる。二次蒸発器６４０および二次凝縮器６２０の飽和温度は、一般的に、（入口空気６０１の温度＋第２の空気流６１５の温度）／２の式に従って制御される。二次蒸発器６４０の飽和温度は、入口空気６０１よりも低いので、蒸発は、二次蒸発器６４０内で起こる。二次凝縮器６２０の飽和温度は、第２の空気流６１５よりも高いので、凝縮は、二次凝縮器６２０内で起こる。二次蒸発器６４０内で蒸発する冷媒６０５の量は、二次凝縮器６２０内で凝縮する量と実質的に等しい。
【００５０】
一次蒸発器６１０は、二次計量デバイス６９０から冷媒６０５の流れを受け取り、冷媒６０５の流れを圧縮器６６０に出力する。一次蒸発器６１０は、任意のタイプのコイル（例えば、フィンチューブ、マイクロチャネルなど）であってよい。一次蒸発器６１０は、二次蒸発器６４０から第１の空気流６４５を受け取り、第２の空気流６１５を二次凝縮器６２０に出力する。第２の空気流６１５は、一般的に、第１の空気流６４５よりも低い温度にある。入って来る第１の空気流６４５を冷却するために、一次蒸発器６１０は、第１の空気流６４５からの熱を冷媒６０５の流れに伝達し、それによって、冷媒の流れ６０５を少なくとも部分的に液体から気体に蒸発させる。また、第１の空気流６４５から冷媒６０５の流れへのこの熱の伝達は、第１の空気流６４５から水を除去する。
【００５１】
二次凝縮器６２０は、二次蒸発器６４０から冷媒６０５の流れを受け取り、冷媒６０５の流れを二次計量デバイス６９０に出力する。二次凝縮器６２０は、任意のタイプのコイル（例えば、フィンチューブ、マイクロチャネルなど）であってよい。二次凝縮器６２０は、第１蒸発器６１０から第２の空気流６１５を受け取り、第３の空気流６２５を出力する。第３の空気流６２５は、一般的に、第２の空気流６１５よりも暖かく、第２の空気流よりも乾燥している（すなわち、露点は、第２の空気流６１５と同じであるが、相対湿度は、第２の空気流６１５よりも低い）。二次凝縮器６２０は、冷媒６０５の流れから第２の空気流６１５に熱を伝達することによって第３の空気流６２５を生成し、それによって、冷媒６０５の流れを少なくとも部分的に気体から液体に凝縮させる。上述のように、第３の空気流６２５は、調整された空間内に出力される。（例えば、図８に示すような）他の実施形態において、第３の空気流６２５は、更に減少させられた相対湿度で調整された空間内に出力される前に、先ず、副冷却コイル６５０を通過して(pass  through)よく、且つ／或いは通り過ぎて(pass  over)よい。
【００５２】
冷媒６０５は、屋外または調整されていない空間または凝縮器システム６０４の圧縮器６６０に流れる。圧縮器６６０は、冷媒６０５の流れを加圧し、それによって、冷媒６０５の温度を上昇させる。例えば、圧縮器６６０に入る冷媒６０５の流れが１２８ｐｓｉｇ／５２°Ｆ／１００％蒸気にあるならば、冷媒６０５の流れは、圧縮器６６０を出るときに、３４０ｐｓｉｇ／１５０°Ｆ／１００％蒸気であることがある。圧縮器６６０は、一次蒸発器６１０から冷媒６０５の流れを受け取り、加圧された冷媒６０５の流れを一次凝縮器６３０に供給する。
【００５３】
一次凝縮器６３０は、圧縮器６６０から冷媒６０５の流れを受け取り、冷媒６０５の流れを副冷却コイル６５０に出力する。一次凝縮器６３０は、任意のタイプのコイル（例えば、フィンチューブ、マイクロチャネルなど）であってよい。一次凝縮器６３０および副冷却コイル６５０は、第１の外気流６０６を受け取り、第２の外気流６０８を出力する。第２の外気流６０８は、一般的に、第１の外気流６０６よりも温かい（すなわち、第１の外気流６０６よりも低い相対湿度を有する）。一次凝縮器６３０は、冷媒６０５の流れからの熱を伝達し、それによって、冷媒６０５の流れを少なくとも部分的に気体から液体へ凝縮させる。幾つかの実施態様において、一次凝縮器６３０は、冷媒６０５の流れを完全に液体（すなわち、１００％の液体）に凝縮する。他の実施形態において、一次凝縮器６３０は、冷媒６０５の流れを部分的に液体（すなわち、１００％未満の液体）に凝縮する。
【００５４】
除湿システム６００の任意的な構成要素である副冷却コイル６５０は、液体冷媒６０５が一次凝縮器６３０を出るときに、液体冷媒６０５を副冷却する。これは、次に、一次計量デバイス６８０に、液体冷媒が副冷却コイル６５０に入る前よりも３０度（または３０度よりも高い温度）だけ低い、液体冷媒を供給する。例えば、副冷却コイル６５０に入る冷媒６０５の流れが３４０ｐｓｉｇ／１０５°Ｆ／６０％蒸気にあるならば、冷媒６０５の流れは、副冷却コイル６５０を出るときに、３４０ｐｓｉｇ／８０°Ｆ／０％蒸気であることがある。副冷却された冷媒６０５は、より大きい熱エンタルピー係数ならびにより大きい密度を有し、それは気流と蒸発器との間のエネルギ伝達を向上させて、冷媒６０５からの更なる潜熱の除去をもたらす。これは、除湿システム６００のより高い効率およびより少ないエネルギ使用を更にもたらす。除湿システム６００の実施形態は、副冷却コイル６５０を含んでも含まなくてもよい。
【００５５】
特定の実施形態において、副冷却コイル６５０および一次凝縮器６３０は、単一のコイルに組み入れられる。そのような単一のコイルは、空気流６０６、６０８および冷媒６０５の流れのための適切な回路を含む。単一のコイル凝縮器と副冷却コイルとを含む凝縮器システム６０４の例示的な例が、図７に示されている。単一ユニットのコイルは、凝縮器に対応する内部チューブ７１０と、副冷却コイルに対応する外部チューブ７０５とを含む。冷媒は、外部チューブ７０５を通じて流れる前に、内部チューブ７１０を通じて導かれてよい。図７に示す例示的な例において、空気流は、ファン６９５によって単一ユニットのコイルを通じて引き出され、上向きに吐き出される。しかしながら、他の実施形態の凝縮器システムは、当技術分野で知られる他の構成を備える凝縮器、圧縮器、任意的な副冷却コイル、およびファンを含むことができることが理解されるべきである。
【００５６】
二次蒸発器６４０は、一次計量デバイス６８０から冷媒６０５の流れを受け取り、冷媒６０５の流れを二次凝縮器６２０に出力する。二次蒸発器６４０は、任意のタイプのコイル（例えば、フィンチューブ、マイクロチャネルなど）であってよい。二次蒸発器６４０は、入口空気６０１を受け取り、第１の空気流６４５を一次蒸発器６１０に出力する。第１の空気流６４５は、一般的に、入口空気６０１よりも低い温度にある。入って来る入口空気６０１を冷却するために、二次蒸発器６４０は、入口空気６０１からの熱を冷媒６０５の流れに伝達し、それによって、冷媒６０５の流れを少なくとも部分的に液体から気体に蒸発させる。
【００５７】
ファン６７０は、入口空気６０１を除湿ユニット６０２内に引き込み、そして、二次蒸発器６４０、一次蒸発器６１０、および二次凝縮器６２０を通じて引き込むように動作可能な、任意の適切な構成要素を含んでよい。ファン６７０は、任意のタイプの送風機（例えば、軸流ファン、前方傾斜インペラ、後方傾斜インペラなど）であってよい。例えば、ファン６７０は、二次凝縮器６２０に隣接して位置付けられる後方傾斜インペラであってよい。
【００５８】
図６において、ファン６７０は、凝縮器６２０に隣接して位置付けられるように描写されているが、ファン６７０は、除湿ユニット６０２の空気流路に沿う任意の場所に配置されてよいことが理解されなければならない。例えば、ファン６７０は、空気流６０１、６４５、６１５、または６２５のうちのいずれか１つの空気流路内に位置付けられてよい。その上、除湿ユニット６０２は、これらの空気流路のうちのいずれか１以上の空気流路内に位置付けられる１以上の追加的なファンを含んでよい。同様に、図６において、凝縮器システム６０４のファン６９５は、一次凝縮器６３０の上方に配置されるように描写されているが、ファン６９５は、凝縮器６３０および副冷却コイル６５０に対して任意の場所（例えば、上方、下方、側方）に配置されてよく、よって、長いファン６９５は、一次凝縮器６３０および副冷却コイル６５０に向かう空気流６０６を促進するように、適切に位置付けられ且つ構成される。
【００５９】
ファン６７０によって生成される空気流の速度(rate)は、ファン６９５によって生成される速度と異なってよい。例えば、ファン６９５によって生成される空気流６０６の流量(flow  rate)は、ファン６７０によって生成される空気流６０１の流量よりも高くてよい。この流量の差は、本明細書に記載する除湿システムについて幾つかの利点を提供することがある。例えば、ファン６９５によって生成される大きな空気流は、凝縮器システム６０４の一次凝縮器６３０および副冷却コイル６５０での熱伝達の改良を提供することがある。一般的に、第２のファン６９５によって生成される空気流の速度は、第１のファン６７０によって生成される空気流の速度の約２倍〜５倍の間にある。例えば、第１のファン６７０によって生成される空気流の速度は、毎分約２００〜４００立方フィート（ｃｆｍ）であってよい。例えば、第２のファン６９５によって生成される空気流の速度は、毎分約９００〜１２００立方フィート（ｃｆｍ）であってよい。
【００６０】
一次計量デバイス６８０および二次計量デバイス６９０は、任意の適切なタイプの計量／膨張デバイスである。幾つかの実施形態において、一次計量デバイス６８０は、サーモスタット膨張弁（ＴＸＶ）であり、二次計量デバイス６９０は、固定オリフィスデバイスである（或いはその逆である）。特定の実施形態において、計量デバイス６８０および６９０は、冷媒６０５の流れから圧力を除去して、蒸発器６１０および６４０内の液体から蒸気への状態の変化または膨張を可能にする。計量デバイス６８０および６９０に入る高圧液体（または大部分が液体）の冷媒は、計量デバイス６８０および６９０から出る液体冷媒６０５よりも高い温度にある。例えば、一次計量デバイス６８０に入る冷媒６０５の流れが３４０ｐｓｉｇ／８０°Ｆ／０％蒸気にあるならば、冷媒６０５の流れは、一次計量デバイス６８０を出るときに、１９６ｐｓｉｇ／６８°Ｆ／５％蒸気であることがある。別の例として、二次計量デバイス６９０に入る冷媒６０５の流れが１９６ｐｓｉｇ／６８°Ｆ／４％蒸気にあるならば、冷媒６０５の流れは、二次計量デバイス６９０を出るときに、１２８ｐｓｉｇ／４４°Ｆ／１４％蒸気であることがある。
【００６１】
特定の実施形態において、二次計量デバイス６９０は、計量デバイス６９０に入る冷媒６０５の圧力が計量デバイス６０５を出る冷媒６０５の圧力と実質的に同じであるように、（本明細書では「完全開放」状態と呼ぶ）実質的に開状態において作動する。例えば、冷媒６０５の圧力は、計量デバイス６９０に入る冷媒６０５の圧力の８０％、９０％、９５％、９９％、または最大１００％であってよい。二次計量デバイス６９０が「完全開放」状態で作動させられるならば、一次計量デバイス６８０は、除湿システム６００における圧力低下の主要な原因となる。この構成において、空気流６１５は、二次凝縮器６２０および二次蒸発器６４０を通過するときに実質的に加熱されず、一次蒸発器６１０および二次凝縮器６２０は、単一の蒸発器として効果的に作用する。二次計量デバイス６９０が「完全開放」状態で作動させられるときに、より少ない水が空気流６０１から除去されることがあるが、空気流６０６は、二次計量デバイス６９０が「完全開放」状態にないときよりも低い温度で、調整された空間に出力される。この構成は、除湿システム６００が中央空調装置によって生成される空気流の特性と類似の特性を備える低温の空気流６２５を生成することがあるように、比較的高い顕熱比(sensible  heat  ratio)（ＳＨＲ）動作モードに対応する。空気流の速度６０１が（例えば、ファン６７０または除湿システム６００の１以上の他のファンの速度を増加させることによって）閾値まで増加されるならば、除湿システム６００は、空気流６０１から水を除去することなく顕著な冷却を行うことがある。
【００６２】
冷媒６０５は、Ｒ４１０ａのような任意の適切な冷媒であってよい。一般的に、除湿システム６００は、圧縮器６６０から、一次凝縮器６３０、（任意的に）副冷却コイル６５０、第１計量デバイス６８０、二次蒸発器６４０、二次凝縮器６２０、二次計量デバイス６９０、および第１蒸発器６１０を通じる、冷媒６０５の閉冷媒ループを利用する。圧縮器６６０は、冷媒６０５の流れを加圧し、それによって、冷媒６０５の温度を上昇させる。任意の適切な熱交換器を含むことがある、一次凝縮器６３０および二次凝縮器６２０は、冷媒６０５の流れからそれらを通過するそれぞれの空気流（すなわち、第１の外気流６０６および第２の空気流６１５）への熱伝達を促進することによって、加圧された冷媒６０５の流れを冷却する。一次および二次凝縮器６３０および６２０を出る冷却された冷媒６０５の流れは、冷媒６０５の流れの圧力を低下させ、それによって、冷媒６０５の流れの温度を低下させるように動作可能な、それぞれの膨張デバイス（すなわち、一次計量デバイス６８０および二次計量デバイス６９０）に入ることがある。任意の適切な熱交換器を含むことがある、一次蒸発器６１０および二次蒸発器６４０は、それぞれ、二次計量デバイス６９０および一次計量デバイス６８０から冷媒６０５の流れを受け取る。一次蒸発器６１０および二次蒸発器６４０は、それらを通過するそれぞれの空気流（すなわち、入口空気６０１および第１の空気流６４５）から冷媒６０５の流れへの熱の伝達を促進する。冷媒６０５の流れは、一次蒸発器６１０を出た後に、圧縮器６６０に戻り、サイクルは繰り返される。
【００６３】
特定の実施形態において、上述の冷凍ループは、蒸発器６１０および６４０が浸水状態で作動するように構成されてよい。換言すれば、冷媒６０５の流れは、液体状態において蒸発器６１０、６４０に入ってよく、冷媒６０５の流れの一部は、蒸発器６１０、６４０を出るときに、依然として液体状態にあってよい。従って、（熱が冷媒６０５の流れに伝達されるときの液体から蒸気への）冷媒６０５の流れの相変化は、蒸発器６１０および６４０に亘って起こり、蒸発器６１０および６４０全体に亘ってほぼ一定な圧力および温度をもたらす（そして、結果的に、冷却容量の増大をもたらす）。
【００６４】
除湿システム６００の例示的な実施形態の動作において、入口空気６０１は、ファン６７０によって除湿システム６００内に引き込まれてよい。入口空気６０１は、二次蒸発器６４０を通過し、二次蒸発器６４０において、熱は、入口空気６０１から、二次蒸発器６４０を通過する低温の冷媒６０５の流れに伝達される。その結果、入口空気６０１は冷却されることがある。一例として、入口空気６０１が８０°Ｆ／６０％湿度にあるならば、二次蒸発器６４０は、７０°Ｆ／８４％湿度で第１の空気流６４５を出力することがある。これは冷媒６０５の流れを二次蒸発器６４０内で部分的に蒸発させることがある。例えば、二次蒸発器６４０に入る冷媒６０５の流れが１９６ｐｓｉｇ／６８°Ｆ／５％蒸気にあるならば、冷媒６０５の流れは、二次蒸発器６４０を出るときに、１９６ｐｓｉｇ／６８°Ｆ／３８％蒸気であることがある。
【００６５】
冷却された入口空気６０１は、第１の空気流６４５として二次蒸発器６４０を出て、一次蒸発器６１０に入る。二次蒸発器６４０と同様に、一次蒸発器６１０は、第１の空気流６４５から熱を、一次蒸発器６１０を通過する低温の冷媒６０５の流れに伝達する。その結果、第１の空気流６４５は、その露点温度までまたはその露点温度より下の温度まで冷却されて、第１の空気流６４５内の水分を凝縮させることがある（それによって、第１の空気流６４５の絶対湿度を減少させることがある）。一例として、第１の空気流６４５が７０°Ｆ／８４％湿度にあるならば、一次蒸発器６１０は、５４°Ｆ／９８％湿度で第２の空気流６１５を出力することがある。これは冷媒６０５の流れを一次蒸発器６１０内で部分的または完全に蒸発させることがある。例えば、一次蒸発器６１０に入る冷媒６０５の流れが１２８ｐｓｉｇ／４４°Ｆ／１４％蒸気にあるならば、冷媒６０５の流れは、一次蒸発器６１０を出るときに、１２８ｐｓｉｇ／５２°Ｆ／１００％蒸気であることがある。特定の実施形態において、第１の空気流６４５からの液体凝縮物は、図４に令するように、凝縮物リザーバに接続されたドレインパンに収集されてよい。加えて、凝縮物リザーバは、収集された凝縮物を、連続的にまたは周期的な間隔で、除湿システム６００から（例えば、ドレインホースを介して）適切な排出場所または貯蔵場所に移動させる、凝縮物ポンプを含んでよい。
【００６６】
冷却された第１の空気流６４５は、第２の空気流６１５として一次蒸発器６１０を出て、二次凝縮器６２０に入る。二次凝縮器６２０は、二次凝縮器６２０を通過する高温の冷媒６０５の流れから第２の空気流６１５への熱伝達を促進する。これは第２の空気流６１５を再加熱し、それによって、第２の空気流６１５の相対湿度を減少させる。一例として、第２の空気流６１５が５４°Ｆ／９８％湿度にあるならば、二次凝縮器６２０は、６５°Ｆ／６８％湿度で除湿された空気流６２５を出力することがある。これは冷媒６０５の流れを二次凝縮器６２０内で部分的または完全に凝縮させることがある。例えば、二次凝縮器６２０に入る冷媒６０５の流れが１９６ｐｓｉｇ／６８°Ｆ／３８％蒸気にあるならば、冷媒６０５の流れは、二次凝縮器６２０を出るときに、１９６ｐｓｉｇ／６８°Ｆ／４％蒸気であることがある。幾つかの実施態様において、第２の空気流６１５は、除湿された空気流６２５として二次凝縮器６２０を出て、調整された空間内に出力される。
【００６７】
一次凝縮器６３０は、一次凝縮器６３０を通過する高温の冷媒６０５の流れから第１の外気流６０６への熱伝達を促進する。これは外気流６０６を加熱し、それは第２の外気流６０８として調整されていない空間（例えば、野外）に出力される。一例として、第１の外気流６０６が６５°Ｆ／６８％湿度にあるならば、一次凝縮器６３０は、１０２°Ｆ／１９％湿度で第２の外気流６０８を出力することがある。これは冷媒６０５の流れを一次凝縮器６３０内で部分的または完全に凝縮させることがある。例えば、一次凝縮器６３０に入る冷媒６０５の流れが３４０ｐｓｉｇ／１５０°Ｆ／１００％蒸気にあるならば、冷媒６０５の流れは、一次凝縮器６３０を出るときに、３４０ｐｓｉｇ／１０５°Ｆ／６０％蒸気であることがある。
【００６８】
上述のように、除湿システム６００の幾つかの実施形態は、凝縮器システム６０４の入口と一次凝縮器６３０との間の空気流内に副冷却コイル６５０を含んでよい。副冷却コイル６５０は、副冷却コイル６５０を通過する高温の冷媒６０５の流れから第１の外気流６０６への熱伝達を促進する。これは第１の外気流６０６を加熱し、それによって、第１の外気流６０６の温度を上昇させる。一例として、第１の外気流６０６が６５°Ｆ／６８％湿度にあるならば、副冷却コイル６５０は、８１°Ｆ／３７％湿度で空気流を出力することがある。これは冷媒６０５の流れを副冷却コイル６５０内で部分的または完全に凝縮させることがある。例えば、副冷却コイル６５０に入る冷媒６０５の流れが３４０ｐｓｉｇ／１５０°Ｆ／６０％蒸気にあるならば、冷媒６０５の流れは、副冷却コイル６５０を出るときに、３４０ｐｓｉｇ／８０°Ｆ／０％蒸気であることがある。
【００６９】
図６に描写する実施形態において、副冷却コイル６５０は、凝縮器システム６０４内にある。この構成は、調整された空間内に出力される第３の空気流６２５の温度を最小限に抑える。代替的な実施形態が、除湿ユニット８０２が副冷却コイル６５０を含む、図８の除湿システム８００として示されている。この実施形態において、空気流６２５は、先ず、ファン６７０を介して空気流８５５として調整された空間に出力される前に、副冷却コイル６５０を通過する。本明細書に記載するように、代替的に、ファン６７０を除湿ユニット８０２内の空気流の経路に沿う任意の場所に配置することができ、１以上の追加的なファンを除湿ユニット８０２に含めることができる。
【００７０】
いかなる特定の理論にも拘束されることを望まないが、除湿システム８００の構成は、図６の除湿システム６００の構成よりも、共通の動作条件の下でエネルギ効率がより高いと考えられる。例えば、第３の空気流６２５の温度が外気温度（すなわち、空気流６０６の温度）よりも低いならば、冷媒６０５は、除湿ユニット８０２内に配置される副冷却コイル６５０を用いてより効果的に冷却または副冷却される。そのような操作条件は、例えば、温暖な気候の場所および／または夏の間に一般的なことがある。特定の実施形態では、室内ユニット８０２も圧縮器６６０も含み、圧縮器６６０は、例えば、二次蒸発器６４０、一次蒸発器６１０、および／または二次凝縮器６２０（構成は図示されていない）の付近に配置されてよい。
【００７１】
除湿システム８００の例示的な実施形態の動作において、入口空気６０１は、ファン６７０によって除湿システム８００内に引き込まれてよい。入口空気６０１は、二次蒸発器６４０を通過し、二次蒸発器６４０では、熱が、入口空気６０１から、二次蒸発器６４０を通過する低温の冷媒６０５の流れに伝達される。その結果、入口空気６０１は冷却されることがある。一例として、入口空気６０１が８０°Ｆ／６０％湿度にあるならば、二次蒸発器６４０は、７０°Ｆ／８４％湿度で第１の空気流６４５を出力することがある。これは冷媒６０５の流れを二次蒸発器６４０内で部分的に蒸発させることがある。例えば、二次蒸発器６４０に入る冷媒６０５の流れが１９６ｐｓｉｇ／６８°Ｆ／５％蒸気にあるならば、冷媒６０５の流れは、二次蒸発器６４０を出るときに、１９６ｐｓｉｇ／６８°Ｆ／３８％蒸気であることがある。
【００７２】
冷却された入口空気６０１は、第１の空気流６４５として二次蒸発器６４０を出て、一次蒸発器６１０に入る。二次蒸発器６４０と同様に、一次蒸発器６１０は、第一の空気流６４５から熱を、一次蒸発器６１０を通過する低温の冷媒６０５の流れに伝達する。その結果、第１の空気流６４５は、その露点温度までまたはその露点温度より下の温度まで冷却されて、第１の空気流６４５内の水分を凝縮させることがある（それによって、第１の空気流６４５の絶対湿度を減少させることがある）。一例として、第１の空気流６４５が７０°Ｆ／８４％の湿度にあるならば、一次蒸発器６１０は、５４°Ｆ／９８％湿度で第２の空気流６１５を出力することがある。これは冷媒６０５の流れを一次蒸発器６１０内で部分的または完全に蒸発させることがある。例えば、一次蒸発器６１０に入る冷媒６０５の流れが１２８ｐｓｉｇ／４４°Ｆ／１４％蒸気にあるならば、冷媒６０５の流れは、一次蒸発器６１０を出るときに、１２８ｐｓｉｇ／５２°Ｆ／１００％蒸気であることがある。特定の実施形態において、第１の空気流６４５からの液体凝縮物は、図４に例示するように、凝縮物リザーバに接続されたドレインパンに収集されてよい。加えて、凝縮物リザーバは、収集される凝縮物を、連続的にまたは周期的な間隔で、除湿システム８００から（例えば、ドレインホースを介して）適切な排出場所または貯蔵場所に移動させる、凝縮物ポンプを含んでよい。
【００７３】
冷却された第１の空気流６４５は、第２の空気流６１５として一次蒸発器６１０を出て、二次凝縮器６２０に入る。二次凝縮器６２０は、二次凝縮器６２０を通過する高温の冷媒６０５の流れから第２の空気流６１５への熱伝達を促進する。これは第２の空気流６１５を再加熱し、それによって、第２の空気流６１５の相対湿度を減少させる。一例として、第２の空気流６１５が５４°Ｆ／９８％湿度にあるならば、二次凝縮器６２０は、６５°Ｆ／６８％湿度で除湿された空気流６２５を出力することがある。これは冷媒６０５の流れを二次凝縮器６２０内で部分的または完全に凝縮させることがある。例えば、二次凝縮器６２０に入る冷媒６０５の流れが１９６ｐｓｉｇ／６８°Ｆ／３８％蒸気にあるならば、冷媒６０５の流れは、二次凝縮器６２０を出るときに、１９６ｐｓｉｇ／６８°Ｆ／４％蒸気であることがある。幾つかの実施態様において、第２の空気流６１５は、除湿された空気流６２５として二次凝縮器６２０を出て、調整された空間内に出力される。
【００７４】
除湿された空気流６２５は、副冷却コイル６５０に入り、副冷却コイル６５０は、副冷却コイル６５０を通過する高温の冷媒６０５の流れから除湿された空気流６２５への熱伝達を促進する。これは除湿された空気流６２５を加熱し、それによって、除湿された空気流６２５の湿度を更に減少させる。一例として、除湿された空気流６２５が６５°Ｆ／６８％湿度にあるならば、副冷却コイル６５０は、８１°Ｆ／３７％湿度で空気流８５５を出力することがある。これは冷媒６０５の流れを副冷却コイル６５０内で部分的または完全に凝縮させることがある。例えば、副冷却コイル６５０に入る冷媒６０５の流れが３４０ｐｓｉｇ／１５０°Ｆ／６０％蒸気にあるならば、冷媒６０５の流れは、副冷却コイル６５０を出るときに、３４０ｐｓｉｇ／８０°Ｆ／０％蒸気であることがある。
【００７５】
一次凝縮器６３０は、一次凝縮器６３０を通過する高温の冷媒６０５の流れから第１の外気流６０６への熱伝達を促進する。これは外気流６０６を加熱し、それは第２の外気流６０８として調整されていない空間内に出力される。一例として、第１の外気流６０６が６５°Ｆ／６８％湿度にあるならば、一次凝縮器６３０は、１０２°Ｆ／１９％湿度で第２の外気流６０８を出力することがある。これは冷媒６０５の流れを一次凝縮器６３０内で部分的または完全に凝縮させることがある。例えば、一次凝縮器６３０に入る冷媒６０５の流れが３４０ｐｓｉｇ／１５０°Ｆ／１００％蒸気にあるならば、冷媒６０５の流れは、一次凝縮器６３０を出るときに、３４０ｐｓｉｇ／１０５°Ｆ／６０％蒸気であってよい。
【００７６】
図６および図８の除湿システム６００および８００の幾つかの実施形態は、１以上の場所に１以上のコンピュータシステムを含んでよいコントローラを含んでよい。各コンピュータシステムは、任意の適切な（キーパッド、タッチスクリーン、マウス、または情報を受け入れることができる他のデバイスのような）入力デバイス、出力デバイス、大容量記憶媒体、またはデータを受信し、処理し、記憶し、且つ通信するための他の適切な構成要素を含んでよい。入力デバイスおよび出力デバイスの両方は、磁気コンピュータディスク、ＣＤ−ＲＯＭ、またはユーザから入力を受信し且つユーザに出力を提供する他の適切な媒体のような、固定的なまたは取り外し可能な記憶媒体を含んでよい。各コンピュータシステムは、パーソナルコンピュータ、ワークステーション、ネットワークコンピュータ、キオスク、無線データポート、携帯情報端末（ＰＤＡ）、これらのまたは他のデバイス内の１以上のプロセッサ、または任意の他の適切な処理デバイスを含んでよい。手短に言えば、コントローラは、ソフトウェア、ファームウェア、およびハードウェアの任意の適切な組み合わせを含んでよい。
【００７７】
コントローラは、追加的に、１以上の処理モジュールを含んでよい。各処理モジュールは、それぞれ、１以上のマイクロプロセッサ、コントローラ、または任意の他の適切なコンピューティングデバイスまたはリソースを含んでよく、単独でまたは除湿システム６００および８００の他の構成要素と共に作動して、本明細書に記載する機能性の一部または全部を提供してよい。コントローラは、追加的に、コンピュータメモリを含んでよい（或いは無線または有線通信を介してコンピュータメモリに通信的に連結されてよい）。メモリは、任意のメモリまたはデータベースモジュールを含んでよく、磁気媒体、光学媒体、ランダムアクセス記憶装置（ＲＡＭ）、読出し専用記憶装置（ＲＯＭ）、リムーバブル媒体、または任意の他の適切なローカルまたはリモートメモリ構成要素を含むが、これらに限定されない、揮発性または不揮発性メモリの形態を取ってよい。
【００７８】
除湿システム６００および８００の特定の実施形態が図示され、主に記載されるが、本開示は、特定の必要性に従って、除湿システム６００および８００の任意の適切な実施を想定する。その上、除湿システム６００および８００の様々な構成要素は、特定の位置に並びに互いに対して配置されるものとして描写されているが、本開示は、特定の必要性に従って、それらの構成要素が任意の適切な場所に位置付けられることを想定する。
【００７９】
特定の実施形態において、図３、図６、または図８の二次蒸発器（３４０、６４０）、一次蒸発器（３１０、６１０）、および二次凝縮器（３２０、６２０）は、単一のコイルパック内に組み込まれる。単一のコイルパックは、上述の二次蒸発器、一次蒸発器、および二次凝縮器のそれぞれの機能に順応する部分（例えば、別個の冷媒回路）を含んでよい。そのような単一のコイルパックの例示的な例が、図９に示されている。図９は、（図９に円によって表されている）複数のコイルを含む単一のコイルパック９００を示している。コイルパック９００は、二次蒸発器部分９４０と、一次蒸発器部分９１０と、二次凝縮器部分９２０とを含む。コイルパックは、図９の例示的な場合に示すように、計量デバイス９８０および９９０を含んでよく、且つ／或いはそれらに流体的に接続可能であってよい。特定の実施形態において、計量デバイス９８０および９９０は、図３の一次計量デバイス３８０および二次計量デバイス３９０に対応する。
【００８０】
一般的に、計量デバイス９８０および９９０は、任意の適切なタイプの計量／膨張デバイスであってよい。幾つかの実施形態において、計量デバイス９８０は、熱膨張弁（ＴＸＶ）であり、二次計量デバイス９９０は、固定オリフィスデバイスである（或いはその逆である）。一般的に、計量デバイス９８０および９９０は、冷媒９０５の流れから圧力を除去して、蒸発器部分９１０および９４０内の液体から蒸気への状態の変化または膨張を可能にする。計量デバイス９８０および９９０に入る高圧液体（または殆ど液体）の冷媒９０５は、計量デバイス９８０および９９０を出る液体冷媒９０５よりも高い温度にある。例えば、計量デバイス９８０に入る冷媒９０５の流れが３４０ｐｓｉｇ／８０°Ｆ／０％蒸気にあるならば、冷媒９０５の流れは、一次計量デバイス９８０を出るときに、１９６ｐｓｉｇ／６８°Ｆ／５％蒸気であってよい。別の例として、二次計量デバイス９９０に入る冷媒９０５の流れが１９６ｐｓｉｇ／６８°Ｆ／４％蒸気にあるならば、冷媒９０５の流れは、二次計量デバイス９９０を出るときに、１２８ｐｓｉｇ／４４°Ｆ／１４％蒸気であることがある。冷媒９０５は、図３の冷媒３０５に関して上述したように、任意の適切な冷媒であってよい。
【００８１】
単一コイルパック９００の例示的な実施形態の動作において、入口空気流９０１は、二次蒸発器部分９４０を通過し、二次蒸発器部分９４０において、熱は、入口空気９０１から、二次蒸発器部分９４０を通過する低温の冷媒９０５の流れに伝達される。その結果、入口空気９０１は冷却されることがある。一例として、入口空気９０１が８０°Ｆ／６０％湿度にあるならば、二次蒸発器部分９４０は、７０°Ｆ／８４％湿度で第１の空気流を出力することがある。これは冷媒９０５の流れを二次蒸発器部分９４０内で部分的に蒸発させることがある。例えば、二次蒸発器部分９４０に入る冷媒９０５の流れが１９６ｐｓｉｇ／６８°Ｆ／５％蒸気にあるならば、冷媒９０５の流れは、二次蒸発器部分９４０を出るときに、１９６ｐｓｉｇ／６８°Ｆ／３８％蒸気であることがある。
【００８２】
冷却された入口空気９０１は、コイルパック９００を通じて進み、一次蒸発器部分９１０に達する。二次蒸発器部分９４０と同様に、一次蒸発器部分９１０は、空気流９０１から熱を、一次蒸発器部分９１０を通過する低温の冷媒９０５の流れに伝達する。その結果、空気流９０１は、その露点温度までまたはその露点温度より下の温度まで冷却されて、空気流９０１内の水分を凝縮させることがある（それによって、空気流９０１の絶対湿度を減少させることがある）。一例として、空気流９０１が７０°Ｆ／８４％湿度にあるならば、一次蒸発器部分９１０は、空気流９０１を５４°Ｆ／９８％湿度に冷却することがある。これは冷媒９０５の流れを一次蒸発器部分９１０内で部分的または完全に蒸発させることがある。例えば、一次蒸発器部分９１０に入る冷媒９０５の流れが１２８ｐｓｉｇ／４４°Ｆ／１４％蒸気にあるならば、冷媒９０５の流れは、一次蒸発器部分９１０を出るときに、１２８ｐｓｉｇ／５２°Ｆ／１００％蒸気であることがある。特定の実施形態において、一次蒸発器部分９１０を通じる空気流からの液体凝縮物は、（例えば、図４に例示され、本明細書に記載されるように）凝縮物リザーバに接続されたドレインパンに収集されてよい。加えて、凝縮物リザーバは、収集された凝縮物を、連続的にまたは周期的な間隔で、コイルパック９００から（例えば、ドレインホースを介して）適当な排出場所または貯蔵場所に移動させる、凝縮物ポンプを含んでよい。
【００８３】
一次蒸発器部分９１０を出る冷却された空気流９０１は、二次凝縮器部分９２０に入る。二次凝縮器部分９２０は、二次凝縮器部分９２０を通過する高温の冷媒９０５の流れから空気流９０１への熱伝達を促進する。これは空気流９０１を再加熱し、それによって、その相対湿度を減少させる。一例として、空気流９０１が５４°Ｆ／９８％湿度にあるならば、二次凝縮器部分９２０は、６５°Ｆ／６８％湿度で出口空気流９２５を出力することがある。これは冷媒９０５の流れを二次凝縮器部分９２０内で部分的または完全に凝縮させることがある。例えば、二次凝縮器部分９２０に入る冷媒９０５の流れが１９６ｐｓｉｇ／６８°Ｆ／３８％蒸気にあるならば、冷媒９０５の流れは、二次凝縮器部分９２０を出るときに、１９６ｐｓｉｇ／６８°Ｆ／４％蒸気であることがある。出口空気流９２５は、例えば、図３の一次凝縮器部分３３０または副冷却コイル３５０に入ることがある。
【００８４】
コイルパック９００の特定の実施形態が例示され、主に記載されるが、本開示は、特定の必要性に従って、コイルパック９００の任意の適切な実施形態を想定する。その上、コイルパック９００の様々な構成要素が特定の位置に配置されるように描写されるが、本開示は、特定の必要性に従って、これらの構成要素が任意の適切な場所に位置付けられることを想定する。
【００８５】
特定の実施形態において、図３、図６、または図８の二次蒸発器（３４０、６４０）および二次凝縮器（３２０、６２０）は、単一のコイルパックが二次蒸発器および二次凝縮器のそれぞれの機能に順応する部分（例えば、別個の冷媒回路）を含むように、単一のコイルパック内に組み入れられている。そのような実施形態の例示的な例が、図１０に示されている。図１０は、二次蒸発器部分１０４０と、二次凝縮器部分１０２０とを含む、単一のコイルパック１０００を示している。図１０の例示的な例に示すように、一次蒸発器１０１０は、単一コイルパック１０００の二次凝縮器部分１０２０と二次蒸発器部分１０４０との間に配置される。この例示的な実施形態において、単一のコイルパック１０００は、「Ｕ」形状のコイルとして示されている。しかしながら、流動空気流１００１が、二次蒸発器部分１０４０、一次蒸発器１０１０、および二次凝縮器部分１０２０を順次通過する限り、代替的な実施形態が使用されてよい。一般的に、単一のコイルパック１０００は、一次蒸発器１０１０のコイルタイプと比較して同じまたは異なるコイルタイプを含むことができる。例えば、単一のコイルパック１０００は、マイクロチャネルコイルタイプを含んでよい一方で、一次蒸発器１０１０は、フィンチューブコイルタイプを含んでよい。これは、単一のコイルパック１０００および一次蒸発器１０１０が使用される除湿システムを最適化する、更なる柔軟性を提供することがある。
【００８６】
単一のコイルパック１０００の例示的な実施形態の動作において、入口空気１００１は、二次蒸発器部分１０４０を通過し、二次蒸発器部分１０４０において、熱が、入口空気１００１から、二次蒸発器部分１０４０を通過する低温の冷媒の流れに伝達される。その結果、入口空気１００１は冷却されることがある。一例として、入口空気１００１が８０°Ｆ／６０％湿度にあるならば、二次蒸発器部分１０４０は、７０°Ｆ／８４％湿度で空気流を出力することがある。これは冷媒の流れを二次蒸発器部分１０４０内で部分的に蒸発させることがある。例えば、二次蒸発器１０４０に入る冷媒の流れが１９６ｐｓｉｇ／６８°Ｆ／５％蒸気にあるならば、冷媒１００５の流れは、二次蒸発器部分１０４０を出るときに、１９６ｐｓｉｇ／６８°Ｆ／３８％蒸気であることがある。
【００８７】
冷却された入口空気１００１は、二次蒸発器部分１０４０を出て、一次蒸発器１０１０に入る。二次蒸発器部分１０４０と同様に、一次蒸発器１０１０は、空気流１００１からの熱を、一次蒸発器１０１０を通過する低温の冷媒の流れに伝達する。その結果、空気流１００１は、その露点温度までまたはその露点温度より下の温度まで冷却されて、空気流１００１内の水分を凝縮させることがある（それによって、空気流１００１の絶対湿度を減少させることがある）。一例として、一次蒸発器１０１０に入る空気流１００１が７０°Ｆ／８４％の湿度にあるならば、一次蒸発器１０１０は、５４°Ｆ／９８％湿度で空気流を出力することがある。これは冷媒の流れを一次蒸発器１０１０内で部分的または完全に蒸発させることがある。例えば、一次蒸発器１０１０に入る冷媒の流れが１２８ｐｓｉｇ／４４°Ｆ／１４％蒸気にあるならば、冷媒の流れは、一次蒸発器１０１０を出るときに、１２８ｐｓｉｇ／５２°Ｆ／１００％蒸気であることがある。特定の実施形態において、空気流１０１０からの液体凝縮物は、図４に例示するように、凝縮物リザーバに接続されたドレインパンに収集されてよい。加えて、凝縮物リザーバは、収集された凝縮物を、連続的にまたは周期的な間隔で、一次蒸発器１０１０および関連する除湿システムから（例えば、ドレインホースを介して）適切な排出場所または貯蔵場所に移動させる、凝縮物ポンプを含んでよい。
【００８８】
冷却された空気流１００１は、一次蒸発器１０１０を出て、二次凝縮器部分１０２０に入る。二次凝縮器部分１０２０は、二次凝縮器１０２０を通過する高温の冷媒の流れから空気流１００１への熱伝達を促進する。これは空気流１００１を再加熱し、それによって、その相対湿度を減少させる。一例として、二次凝縮器部分１０２０に入る空気流１００１が５４°Ｆ／９８％湿度にあるならば、二次凝縮器１０２０は、６５°Ｆ／６８％湿度で空気流１０２５を出力することがある。これは冷媒の流れを二次凝縮器１０２０内で部分的または完全に凝縮させることがある。例えば、二次凝縮器部分１０２０に入る冷媒の流れが１９６ｐｓｉｇ／６８°Ｆ／３８％蒸気にあるならば、冷媒の流れは、二次凝縮器１０２０を出るときに、１９６ｐｓｉｇ／６８°Ｆ／４％蒸気であることがある。出口空気流９２５は、例えば、図３の一次凝縮器３３０または副冷却コイル３５０に入ることがある。
【００８９】
コイルパック１０００の特定の実施形態が例示され、主に記載されるが、本開示は、特定の必要性に従って、コイルパック１０００の任意の適切な実施を想定する。その上、コイルパック１０００の様々な構成要素が、特定の位置に配置されるように描写されるが、本開示は、特定の必要性に従って、それらの構成要素が任意の適切な場所に位置付けられることを想定する。
【００９０】
特定の実施形態において、図３、図６、または図８の二次蒸発器（３４０、６４０）および一次蒸発器（３１０、６１０）の一方または両方は、２以上(２つまたはそれよりも多く)の回路に細分される。そのような実施形態において、細分された（複数の）蒸発器の各回路は、対応する計量デバイスによって冷媒を供給される。計量デバイスは、受動的な計量デバイス、能動的な計量デバイス、またはそれらの組み合わせを含んでよい。例えば、計量デバイス３８０（または６９０）は、能動サーモスタット膨張弁（ＴＸＶ）であってよく、二次計量デバイス３９０（または６９０）は、受動固定オリフィスデバイスであってよい（またはその逆であってよい）。計量デバイスは、所望の質量流量で、蒸発器内の各回路に冷媒を供給するように構成されてよい。細分された（複数の）蒸発器の各回路に冷媒を供給する計量デバイスは、計量デバイス３８０および３９０との組み合わせにおいて使用されてよく、あるいは計量デバイス３８０および３９０の一方または両方に取って代わってよい。
【００９１】
図１１、図１２、図１３、および図１４は、一次蒸発器１１１０が、特定の実施形態に従って、冷媒の流れのための３つの回路を含む、除湿システムの部分１１００の例示的な例を示している。部分１１００は、一次計量デバイス１１８０と、二次計量デバイス１１９０ａ〜１１９０ｃと、二次蒸発器１１４０と、一次蒸発器１１１０と、二次凝縮器１１２０とを含む。一次蒸発器１１１０は、二次計量デバイス１１９０ａ〜１１９０ｃから冷媒の流れを受け取るための３つの回路を含む。図１１、図１２、図１３、および図１４の例において、二次計量デバイス１１９０ａ〜１１９０ｃの各々は、受動的な計量デバイス（すなわち、一定の内径および長さのオリフィスを備える計量デバイス）である。しかしながら、二次計量デバイス１１９０ａ〜１１９０ｃのうちの１以上の（最大で全部）は、能動的な計量デバイス（例えば、サーモスタット膨張弁）であってよいことが理解されるべきである。
【００９２】
除湿システムの部分１１００の例示的な実施形態の動作において、冷却された（または副冷却された）冷媒の流れは、例えば、図３の除湿システム３００の副冷却コイル３５０または一次凝縮器３３０から、入口１１０２で受け取られる。一次計量デバイス１１８０は、二次蒸発器１１４０内への冷媒の流量を決定する。図１１、図１２、図１３、および図１４は、単一の一次計量デバイス１１８０を有するように示されているが、他の実施形態は、（例えば、二次蒸発器１１４０が、冷媒の流れのために、２以上の回路を含むならば）複数の一次計量デバイスを並列に含むことができる。
【００９３】
冷却された冷媒が二次蒸発器１１４０を通過すると、熱が冷媒と二次蒸発器１１４０を通過する空気流との間で交換されて、入口空気が冷却される。一例として、入口空気が８０°Ｆ／６０％湿度にあるならば、二次蒸発器１１４０は、７０°Ｆ／８４％湿度で空気流を出力することがある。これは冷媒の流れを二次蒸発器１１４０内で部分的に蒸発させることがある。例えば、二次蒸発器１１４０に入る冷媒の流れが１９６ｐｓｉｇ／６８°Ｆ／５％蒸気にあるならば、冷媒の流れは、二次蒸発器１１４０を出るときに、１９６ｐｓｉｇ／６８°Ｆ／３８％蒸気であることがある。
【００９４】
二次凝縮器１１２０は、チューブ１１０６を介して二次蒸発器１１４０から温められた冷媒を受け取る。二次凝縮器１１２０は、二次凝縮器１１２０を通過する高温の冷媒の流れから空気流への熱伝達を促進する。これは空気流を再加熱し、それによって、その相対湿度を減少させる。一例として、空気流量が５４°Ｆ／９８％湿度にあるならば、二次凝縮器１１２０は、６５°Ｆ／６８％湿度で空気流量を出力することがある。これは冷媒の流れを二次凝縮器１１２０内で部分的または完全に凝縮させることがある。例えば、二次凝縮器１１２０に入る冷媒の流れが１９６ｐｓｉｇ／６８°Ｆ／３８％蒸気にあるならば、冷媒の流れは、二次凝縮器１１２０を出るときに、１９６ｐｓｉｇ／６８°Ｆ／４％蒸気であることがある。
【００９５】
冷却された冷媒は、１１０８で二次凝縮器を出て、計量デバイス１１９０ａ〜１１９０ｃに受け取られ、計量デバイス１１９０ａ〜１１９０ｃは、冷媒の流れを一次蒸発器１１１０の３つの回路に分配する。図１４は、一次蒸発器１１１０の回路を含む図を示している。一次蒸発器１１１０を通過する空気流は、その露点温度までまたはその露点温度より下の温度まで冷却されて、空気流内の水分を凝縮させることがある（それによって、空気の絶対湿度を減少させることがある）。一例として、空気流が７０°Ｆ／８４％湿度にあるならば、一次蒸発器１１１０は、５４°Ｆ／９８％湿度で空気流を出力することがある。これは冷媒の流れを一次蒸発器１１１０内で部分的または完全に蒸発させることがある。
【００９６】
二次計量デバイス１１９０ａ、１１９０ｂ、および１１９０ｃの各々は、所望の流量で一次蒸発器１１１０の各回路に冷媒の流れを提供するように構成される。例えば、各回路に提供される流量は、一次蒸発器１１１０の性能を改良するよう最適化されてよい。例えば、特定の動作条件の下では、従来的な蒸発器コイルにおいて起こるように、冷媒の全ての流れが蒸発器全体を通過するのを防止することが有益なことがある。そのような蒸発器を通じて流れる冷媒は、コイルを出る前に液相から気相への変化を受けて、気体状の冷媒のみに接触する蒸発器の部分において不十分な性能をもたらすことがある。この問題を有意に低減させ或いは解消するために、本開示は、各回路を通じて所望の流量で冷媒流を提供する。所望の流量は、運転中に（例えば、既知の設計基準および／または動作条件に基づいて）予め決定されてよく、且つ／或いは可変（例えば、リアルタイムに手動でおよび／または自動的に調整可能）であってよい。流量は、冷媒の流れが気体への移行の直後にそのそれぞれの回路を出るように構成されてよい。例えば、蒸発器のエッジ付近の空気流の速度は、蒸発器の中心付近よりも小さくてよい。従って、二次計量デバイス１１９０ａ〜１１９０ｃによって、より低い速度の冷媒流が一次蒸発器１１１０のエッジに対応する回路に供給されてよい。
【００９７】
図１１、図１２、図１３、および図１４の例は、２以上の回路に細分される一次蒸発器を含む。他の実施形態では、同様にまたは代替的に、二次蒸発器１１１０が、２以上の回路に分割されてよい。図１１、図１２、図１３、および図１４によって例示される回路は、図９および図１０に示される単一のコイルパックのような単一のコイルパックにおいても達成可能であることも理解されるべきである。
【００９８】
除湿システムの部分１１００の特定の実施が例示され、主に記載されるが、本開示は、特定の必要性に従って、除湿システムの部分１１００の任意の適切な実施を想定する。その上、除湿システムの部分１１００の様々な構成要素が特定の位置に配置されるように描写されるが、本開示は、特定の必要性に従って、それらの構成要素が任意の適切な場所に位置付けられることを想定する。
【００９９】
本明細書において、コンピュータ可読な非一時的記憶媒体または複数の媒体は、必要に応じて、（例えば、フィールドプログラマブルゲートアレイ（ＰＰＧＡ）または特定用途向け集積回路（ＡＳＩＣ）のような）１以上の半導体ベースのまたは他の集積回路、ハードディスクドライブ（ＨＤＤ）、ハイブリッドハードドライブ（ＨＨＤ）、光ディスク、光ディスクドライブ（ＯＤＤ）、光磁気ディスク、磁気光学ドライブ、フロッピーディスケット、フロッピーディスクドライブ（ＦＤＤ）、磁気テープ、ソリッドステートドライブ（ＳＳＤ）、ＲＡＭドライブ、ＳＥＣＵＲＥ  ＤＩＧＩＴＡＬカードまたはドライブ、任意の他の適切なコンピュータ可読な非一時的記憶媒体、またはこれらのうちの２以上の適切な組み合わせを含んでよい。コンピュータ可読な非一時的記憶媒体は、必要に応じて、揮発性、不揮発性、または揮発性と不揮発性との組み合わせであってよい。
【０１００】
本明細書において、「または」は、明示的に別のことが示されていない限り或いは文脈によって別のことが示されない限り、内包的であり、排他的でない。従って、本明細書において、「ＡまたはＢ」は、明示的に別のことが示されていない限り或いは文脈によって別のことが示されない限り、「Ａ、Ｂ、またはそれらの両方」を意味する。その上、「および」は、明示的に別のことが示されていない限り或いは文脈によって別のことが示されない限り、結合および幾つかの両方である。従って、本明細書において、「ＡおよびＢ」は、明示的に別のことが示されていない限り或いは文脈によって別のことが示されない限り、「結合的にまたは個別的に、ＡおよびＢ」を意味する。この開示の範囲は、当業者が理解するであろう、本明細書に記載され或いは例示される例示的な実施形態に対する、全ての変化、置換、変形、変更、および修正を包含する。この開示の範囲は、本明細書に記載されあるいは例示される例示的な実施形態に限定されない。その上、この開示は、本明細書中のそれぞれの実施形態を、特定の構成要素、要素、構成、機能、動作、またはステップを含むものとして記載し且つ例示するが、これらの実施形態のいずれかは、当業者が理解するであろう、本明細書中のいずれかの場所に記載され或いは例示される、構成要素、要素、構成、機能、動作、またはステップのいずれかの組み合わせまたは置換を含んでよい。更に、添付の請求項における、装置もしくはシステム、または装置もしくはシステムの構成要素が、特定の機能を実行するように適合され、構成され、有効にされ、動作可能であり、或いは動作的であることへの言及は、その装置、システム、または構成要素が、そのように適合され、配置され、可能であり、構成され、有効にされ、動作可能であり、あるいは動作的である限り、それまたは特定の機能がアクティブ化され、オンにされ、あるいはロック解除されるか否かに拘わらず、その装置、システム、構成要素、その装置、システム、構成要素を包含する。加えて、この開示は、特定の実施形態が特定の利点を提供するものとして記載しあるいは例示するが、特定の実施形態は、これらの利点の全く提供しないことがあり、或いはこれらの利点の一部または全部を提供することがある。
【図１】
2020104108.tif 000003
【図２】
2020104108.tif 000004
【図３】
2020104108.tif 000005
【図４】
2020104108.tif 000006
【図５】
2020104108.tif 000007
【図６】
2020104108.tif 000008
【図７】
2020104108.tif 000009
【図８】
2020104108.tif 000010
【図９】
2020104108.tif 000011
【図１０】
2020104108.tif 000012
【図１１】
2020104108.tif 000013
【図１２】
2020104108.tif 000014
【図１３】
2020104108.tif 000015
【図１４】
2020104108.tif 000016
【外国語明細書】
2020104108000001.pdf